(57)【要約】      （修正有）【課題】ワイヤレスネットワークにおいてブロードキャスト送信を中継するための技法を提供する。【解決手段】リレーは、送信機からパケットの少なくとも１つの送信を受信し、パケットを復号するためにその少なくとも１つの送信を処理することができ得る。リレーは、パケットを正しく復号した後にパケットの少なくとも１つの残りの送信を発生することができ得る。送信機は、パケットの複数の送信を受信機にブロードキャストすることができ得る。少なくとも１つの送信は複数の送信のうちの少なくとも１つとすることができ得、少なくとも１つの残りの送信は複数の送信のうちの残りの送信とすることができ得る。リレーは、送信機が使用する同じリソース上で同じ時間にパケットの少なくとも１つの残りの送信を送信することができ得る。複数の送信は、パケットのための異なるリダンダンシ情報を含んでいるハイブリッド自動再送要求送信とすることができ得る。【選択図】図３
2014123958.tif 000002
【特許請求の範囲】
【請求項１】
送信機からパケットの少なくとも１つの送信をリレーにおいて受信することと、前記少なくとも１つの送信が、前記送信機によって受信機にブロードキャストされた前記パケットの複数の送信のうちの少なくとも１つである、
前記パケットを復号するために前記パケットの前記少なくとも１つの送信を処理することと、
前記パケットを正しく復号した後に前記パケットの少なくとも１つの残りの送信を発生することと、前記少なくとも１つの残りの送信が前記パケットの前記複数の送信のうちの残りの送信である、
前記リレーから前記パケットの前記少なくとも１つの残りの送信を送信することとを備える、ワイヤレス通信のための方法。
【請求項２】
前記送信機が、前記受信機による復号結果にかかわらず、前記パケットの固定数の送信をブロードキャストする、請求項１に記載の方法。
【請求項３】
前記パケットの前記複数の送信が、前記パケットのための異なるリダンダンシ情報を備えるハイブリッド自動再送要求（ＨＡＲＱ）送信である、請求項１に記載の方法。
【請求項４】
前記パケットの前記少なくとも１つの残りの送信を前記送信することは、前記送信機が前記残りの送信を送信するのと同じ時間に、前記リレーから前記パケットの各残りの送信を送信することを備える、請求項１に記載の方法。
【請求項５】
前記パケットの前記少なくとも１つの残りの送信を送信するために前記送信機によって使用されるリソースを判断することをさらに備え、前記パケットの前記少なくとも１つの残りの送信が、前記送信機によって使用される前記リソース上で前記リレーから送信される、請求項１に記載の方法。
【請求項６】
前記パケットのための前記送信機によって使用されるパケットフォーマットを判断することをさらに備え、前記パケットの前記少なくとも１つの送信が、前記パケットを復号するために前記パケットフォーマットに従って処理され、前記パケットの前記少なくとも１つの残りの送信が前記パケットフォーマットに従って発生される、請求項１に記載の方法。
【請求項７】
前記送信機からメッセージの少なくとも１つの送信を前記リレーにおいて受信することと、前記メッセージが、前記パケットを受信するために使用される情報を備える、
前記メッセージを復号するために前記メッセージの前記少なくとも１つの送信を処理することと、
前記メッセージを正しく復号した後に前記メッセージの少なくとも１つの残りの送信を発生することと、
前記リレーから前記メッセージの前記少なくとも１つの残りの送信を送信することとをさらに備える、請求項１に記載の方法。
【請求項８】
前記メッセージがシステム情報を備える、請求項７に記載の方法。
【請求項９】
前記メッセージが前記パケットの割当てを備える、請求項７に記載の方法。
【請求項１０】
前記パケットの前記少なくとも１つの残りの送信を前記発生することが、各残りの送信について、
前記残りの送信のためのデータシンボルを、データのための前記送信機によって使用されるリソースにマッピングすることと、
パイロットシンボルを、パイロットのための前記送信機によって使用されるリソースにマッピングすることと、
前記マッピングされたデータシンボルおよび前記マッピングされたパイロットシンボルに基づいて前記残りの送信を発生することとを備える、請求項１に記載の方法。
【請求項１１】
前記リレーからの送信が受信機において前記送信機からの送信の所定のタイムウィンドウ内に受信されるように前記リレーの送信タイミングを調整することをさらに備え、前記パケットの前記少なくとも１つの残りの送信が、前記リレーの前記送信タイミングに従って前記リレーから送信される、請求項１に記載の方法。
【請求項１２】
前記リレーからの送信の受信電力が受信機において所定の範囲内になるように前記リレーの送信電力レベルを決定することをさらに備え、前記パケットの前記少なくとも１つの残りの送信が、前記決定された送信電力レベルで前記リレーから送信される、請求項１に記載の方法。
【請求項１３】
前記パケットが正しく復号されなかった場合、前記リレーから前記パケットの送信を送信しないことをさらに備える、請求項１に記載の方法。
【請求項１４】
前記パケットが正しく復号されるまで、
前記送信機から受信された信号を再調整することと、
前記再調整された信号を前記リレーから送信することとをさらに備える、請求項１に記載の方法。
【請求項１５】
前記送信機が、ブロードキャストネットワークにおける放送局であり、前記パケットが、前記放送局によって前記受信機に送信されるブロードキャストストリーム用である、請求項１に記載の方法。
【請求項１６】
送信機からパケットの少なくとも１つの送信をリレーにおいて受信することと、前記パケットを復号するために前記パケットの前記少なくとも１つの送信を処理することと、前記パケットを正しく復号した後に前記パケットの少なくとも１つの残りの送信を発生することと、前記リレーから前記パケットの前記少なくとも１つの残りの送信を送信することとを行うように構成された少なくとも１つのプロセッサであって、前記少なくとも１つの送信が、前記送信機によって受信機にブロードキャストされた前記パケットの複数の送信のうちの少なくとも１つであり、前記少なくとも１つの残りの送信が、前記パケットの前記複数の送信のうちの残りの送信である、少なくとも１つのプロセッサを備える、ワイヤレス通信のための装置。
【請求項１７】
前記少なくとも１つのプロセッサが、前記パケットの前記少なくとも１つの残りの送信を送信するために前記送信機によって使用されるリソースを判断することと、前記送信機によって使用される前記リソース上で前記パケットの前記少なくとも１つの残りの送信を送信することとを行うように構成された、請求項１６に記載の装置。
【請求項１８】
前記少なくとも１つのプロセッサが、前記パケットのための前記送信機によって使用されるパケットフォーマットを判断することと、前記パケットを復号するために前記パケットフォーマットに従って前記パケットの前記少なくとも１つの送信を処理することと、前記パケットフォーマットに従って前記パケットの前記少なくとも１つの残りの送信を発生することとを行うように構成された、請求項１６に記載の装置。
【請求項１９】
前記パケットの各残りの送信について、前記少なくとも１つのプロセッサが、前記残りの送信のためのデータシンボルを、データのための前記送信機によって使用されるリソースにマッピングすることと、パイロットシンボルを、パイロットのための前記送信機によって使用されるリソースにマッピングすることと、前記マッピングされたデータシンボルおよび前記マッピングされたパイロットシンボルに基づいて前記残りの送信を発生することとを行うように構成された、請求項１６に記載の装置。
【請求項２０】
送信機からパケットの少なくとも１つの送信をリレーにおいて受信するための手段であって、前記少なくとも１つの送信が、前記送信機によって受信機にブロードキャストされた前記パケットの複数の送信のうちの少なくとも１つである、受信するための手段と、
前記パケットを復号するために前記パケットの前記少なくとも１つの送信を処理するための手段と、
前記パケットを正しく復号した後に前記パケットの少なくとも１つの残りの送信を発生するための手段と、前記少なくとも１つの残りの送信が前記パケットの前記複数の送信のうちの残りの送信である、
前記リレーから前記パケットの前記少なくとも１つの残りの送信を送信するための手段とを備える、ワイヤレス通信のための装置。
【請求項２１】
前記パケットの前記少なくとも１つの残りの送信を送信するために前記送信機によって使用されるリソースを判断するための手段をさらに備え、前記パケットの前記少なくとも１つの残りの送信が、前記送信機によって使用される前記リソース上で前記リレーから送信される、請求項２０に記載の装置。
【請求項２２】
前記パケットのための前記送信機によって使用されるパケットフォーマットを判断するための手段をさらに備え、
前記パケットの前記少なくとも１つの送信が、前記パケットを復号するために前記パケットフォーマットに従って処理され、
前記パケットの前記少なくとも１つの残りの送信が前記パケットフォーマットに従って発生される、請求項２０に記載の装置。
【請求項２３】
前記パケットの少なくとも１つの残りの送信を発生するための前記手段が、各残りの送信について、
前記残りの送信のためのデータシンボルを、データのための前記送信機によって使用されるリソースにマッピングするための手段と、
パイロットシンボルを、パイロットのための前記送信機によって使用されるリソースにマッピングするための手段と、
前記マッピングされたデータシンボルおよび前記マッピングされたパイロットシンボルに基づいて前記残りの送信を発生するための手段とを備える、請求項２０に記載の装置。
【請求項２４】
送信機からパケットの少なくとも１つの送信をリレーにおいて受信することを少なくとも１つのコンピュータを行わせるためのコードと、前記少なくとも１つの送信が、前記送信機によって受信機にブロードキャストされた前記パケットの複数の送信のうちの少なくとも１つである、
前記パケットを復号するために前記パケットの前記少なくとも１つの送信を処理することを少なくとも１つのコンピュータを行わせるためのコードと、
前記パケットを正しく復号した後に前記パケットの少なくとも１つの残りの送信を発生することを前記少なくとも１つのコンピュータを行わせるためのコードと、前記少なくとも１つの残りの送信が前記パケットの前記複数の送信のうちの残りの送信である、発生すること
前記リレーから前記パケットの前記少なくとも１つの残りの送信を送信することを前記少なくとも１つのコンピュータを行わせるためのコードと
を備えるコンピュータ可読媒体を備える、コンピュータプログラム製品。
【請求項２５】
送信機からパケットの少なくとも１つの送信を受信することと、前記少なくとも１つの送信が、前記送信機によって受信機にブロードキャストされた前記パケットの複数の送信のうちの少なくとも１つである、
前記送信機およびリレーから前記パケットの少なくとも１つの追加の送信を受信することと、前記少なくとも１つの追加の送信が、前記パケットの前記複数の送信のうちの少なくとも１つの残りの送信である、
前記パケットを復号するために前記パケットの前記少なくとも１つの送信および前記少なくとも１つの追加の送信を処理することとを備える、ワイヤレス通信のための方法。
【請求項２６】
前記送信機が、前記受信機による復号結果にかかわらず、前記パケットの固定数の送信をブロードキャストし、前記パケットの前記複数の送信が、前記パケットのための異なるリダンダンシ情報を備えるハイブリッド自動再送要求（ＨＡＲＱ）送信である、請求項２５に記載の方法。
【請求項２７】
前記送信機からメッセージの少なくとも１つの送信を受信することと、前記メッセージが、前記パケットを受信するために使用される情報を備える、
前記送信機および前記リレーから前記メッセージの少なくとも１つの追加の送信を受信することと、
前記メッセージを復号するために前記メッセージの前記少なくとも１つの送信および前記少なくとも１つの追加の送信を処理することとをさらに備える、請求項２５に記載の方法。
【請求項２８】
前記メッセージからシステム情報を取得することをさらに備え、前記パケットの前記少なくとも１つの送信および前記少なくとも１つの追加の送信が、前記システム情報に従って受信される、請求項２７に記載の方法。
【請求項２９】
前記メッセージから割当てを取得することをさらに備え、前記パケットの前記少なくとも１つの送信および前記少なくとも１つの追加の送信が、前記割当てに従って受信され、処理される、請求項２７に記載の方法。
【請求項３０】
前記パケットの前記少なくとも１つの送信および前記少なくとも１つの追加の送信を前記処理することが、前記少なくとも１つの送信の各々について、
前記送信におけるパイロットシンボルに基づいて前記送信機のための第１のチャネル推定値を導出することと、
前記第１のチャネル推定値に基づいて前記送信のための検出を実行することとを備える、請求項２５に記載の方法。
【請求項３１】
前記パケットの前記少なくとも１つの送信および前記少なくとも１つの追加の送信を前記処理することが、前記少なくとも１つの追加の送信の各々について、
前記追加の送信におけるパイロットシンボルに基づいて前記送信機と前記リレーの両方のための第２のチャネル推定値を導出することと、
前記第２のチャネル推定値に基づいて前記追加の送信のための検出を実行することとをさらに備える、請求項３０に記載の方法。
【請求項３２】
前記リレーからの送信が受信機において前記送信機からの送信の所定のタイムウィンドウ内に受信されるように前記リレーのタイミング調整を判断することと、
前記タイミング調整を前記リレーに送信することとをさらに備える、請求項２５に記載の方法。
【請求項３３】
前記パケットの前記少なくとも１つの送信および前記少なくとも１つの追加の送信中にアウェイク状態で動作することと、
前記パケットの前記複数の送信のうちの残りの送信の間、スリープ状態で動作することとをさらに備える、請求項２５に記載の方法。
【請求項３４】
送信機からパケットの少なくとも１つの送信を受信することと、前記送信機およびリレーから前記パケットの少なくとも１つの追加の送信を受信することと、前記パケットを復号するために前記パケットの前記少なくとも１つの送信および前記少なくとも１つの追加の送信を処理することとを行うように構成された少なくとも１つのプロセッサであって、前記少なくとも１つの送信が、前記送信機によって受信機にブロードキャストされた前記パケットの複数の送信のうちの少なくとも１つであり、前記少なくとも１つの追加の送信が、前記パケットの前記複数の送信のうちの少なくとも１つの残りの送信である、少なくとも１つのプロセッサを備える、ワイヤレス通信のための装置。
【請求項３５】
前記少なくとも１つのプロセッサが、前記パケットの各送信におけるパイロットシンボルに基づいて前記送信について前記送信機のための第１のチャネル推定値を導出することと、前記パケットの各送信の前記第１のチャネル推定値に基づいて前記送信のための検出を実行することと、前記パケットの各追加の送信におけるパイロットシンボルに基づいて前記追加の送信について前記送信機と前記リレーの両方のための第２のチャネル推定値を導出することと、前記パケットの各追加の送信の前記第２のチャネル推定値に基づいて前記追加の送信のための検出を実行することとを行うように構成された、請求項３４に記載の装置。
【請求項３６】
前記少なくとも１つのプロセッサが、前記リレーからの送信が受信機において前記送信機からの送信の所定のタイムウィンドウ内に受信されるように前記リレーのタイミング調整を判断することと、前記タイミング調整を前記リレーに送信することとを行うように構成された、請求項３４に記載の装置。
【請求項３７】
送信機からパケットの少なくとも１つの送信をリレーにおいて受信することと、
前記パケットを復号するために前記パケットの前記少なくとも１つの送信を処理することと、
前記パケットを正しく復号した後に前記パケットの少なくとも１つの追加の送信を発生することと、
前記リレーからの送信が受信機において前記送信機からの送信の所定のタイムウィンドウ内に受信されるように前記リレーの送信タイミングを調整することと、
前記送信タイミングに従って前記リレーから前記受信機に前記パケットの前記少なくとも１つの追加の送信を送信することとを備える、ワイヤレス通信のための方法。
【請求項３８】
前記リレーの送信タイミングを前記調整することが、
前記受信機からタイミング調整を受信することと、
前記タイミング調整に従って前記リレーの前記送信タイミングを調整することとを備える、請求項３７に記載の方法。
【請求項３９】
前記リレーの送信タイミングを前記調整することが、
前記送信機からの前記パケットの前記少なくとも１つの送信に基づいて前記リレーの受信タイミングを判断することと、
前記リレーの前記受信タイミングに基づいて前記リレーの前記送信タイミングを設定することとを備える、請求項３７に記載の方法。
【請求項４０】
送信機からパケットの少なくとも１つの送信をリレーにおいて受信することと、前記パケットを復号するために前記パケットの前記少なくとも１つの送信を処理することと、前記パケットを正しく復号した後に前記パケットの少なくとも１つの追加の送信を発生することと、前記リレーからの送信が受信機において前記送信機からの送信の所定のタイムウィンドウ内に受信されるように前記リレーの送信タイミングを調整することと、前記送信タイミングに従って前記リレーから前記受信機に前記パケットの前記少なくとも１つの追加の送信を送信することとを行うように構成された少なくとも１つのプロセッサを備える、ワイヤレス通信のための装置。
【請求項４１】
前記少なくとも１つのプロセッサが、前記受信機からタイミング調整を受信することと、前記タイミング調整に従って前記リレーの前記送信タイミングを調整することとを行うように構成された、請求項４０に記載の装置。
【請求項４２】
前記少なくとも１つのプロセッサが、前記送信機からの前記パケットの前記少なくとも１つの送信に基づいて前記リレーの受信タイミングを判断することと、前記リレーの前記受信タイミングに基づいて前記リレーの前記送信タイミングを設定することとを行うように構成された、請求項４０に記載の装置。
【発明の詳細な説明】
【技術分野】
【０００１】
本開示は、一般に通信に関し、より詳細には、ワイヤレス通信のための伝送技法に関する。
【背景技術】
【０００２】
ワイヤレス通信ネットワークは、ボイス、ビデオ、パケットデータ、メッセージング、ブロードキャストなどの様々な通信サービスを提供するために広く展開されている。これらのワイヤレスネットワークは、ユーザに情報をブロードキャストするブロードキャストネットワーク、ユーザのための双方向通信をサポートする多元接続ネットワークなどとすることができ得る。多元接続ネットワークは、特定のユーザへのユニキャスト送信、ユーザのグループへのマルチキャスト送信、および／またはすべてのユーザへのブロードキャスト送信をサポートすることができ得る。
【０００３】
ワイヤレスネットワークは、ネットワーク中のユーザに情報をブロードキャストすることができ得る。ブロードキャスト送信のカバレージ（coverage）を向上させることが望ましいことがある。これは、無線周波数（ＲＦ）リピータを使用することによって達成でき得る。ＲＦリピータは、ＲＦ信号を受信し、受信されたＲＦ信号を増幅し、増幅されたＲＦ信号を送信することができ得る。ＲＦリピータは、所望の信号ならびに干渉を増幅することがある。さらに、ＲＦリピータ内のＲＦ回路からの雑音が、増幅されたＲＦ信号中に注入され、所望の信号を劣化させることがある。したがって、ＲＦリピータは、リンクバジェット（link budget）を改善することができ得るが、ネットワーク容量の損失を生じることがある。
【０００４】
したがって、当技術分野では、ブロードキャスト送信のカバレージを向上させるより効果的な技法が必要である。
【発明の概要】
【０００５】
本明細書では、ワイヤレス通信ネットワークにおいてブロードキャスト送信を中継するための技法について説明する。一態様では、リレーは、（ｉ）パケットを復号するために送信機からパケットの少なくとも１つの送信（transmission）を受信し、処理することと、（ｉｉ）パケットを正しく復号した後にパケットの残りの送信を発生し、送信することとによって、ブロードキャスト送信を中継することができ得る。パケットの送信は、パケットのための異なるリダンダンシ（redundancy）情報を備えるハイブリッド自動再送要求（ＨＡＲＱ）送信とすることができ得る。
【０００６】
１つの設計では、リレーは、放送局、基地局などであり得る送信機からパケットの少なくとも１つの送信を受信することができ得る。リレーは、パケットを復号するためにパケットの少なくとも１つの送信を処理することができ得る。リレーは、パケットを正しく復号した後にパケットの少なくとも１つの残りの送信を発生することができ得る。送信機は、パケットの複数の送信を受信機にブロードキャストすることができ得る。少なくとも１つの送信はパケットの複数の送信のうちの少なくとも１つとすることができ得、少なくとも１つの残りの送信は複数の送信のうちの残りの送信とすることができ得る。リレーは、パケットの少なくとも１つの残りの送信を送信することができ得る。
【０００７】
リレーは、パケットのための送信機によって使用されるパケットフォーマットを判断することができ得る。リレーは、パケットを復号するために、パケットフォーマットに従って送信機からのパケットの少なくとも１つの送信を処理することができ得る。リレーはまた、パケットフォーマットに従ってパケットの少なくとも１つの残りの送信を発生することができ得る。リレーは、パケットの少なくとも１つの残りの送信を送信するために送信機によって使用されるリソースを判断することができ得る。次いで、リレーは、送信機によって使用されるリソース上でパケットの少なくとも１つの残りの送信を送信することができ得る。
【０００８】
本開示の様々な態様および特徴について以下でさらに詳細に説明する。
【図面の簡単な説明】
【０００９】
【図１】ワイヤレス通信ネットワークを示す図。
【図２】ブロードキャスト送信を送信する設計を示す図。
【図３】ブロードキャスト送信を送信し、中継する設計を示す図。
【図４】送信機およびリレーからのパケットの送信を示す図。
【図５】リレーによって実行されるプロセスを示す図。
【図６】パケットの送信を中継するための装置を示す図。
【図７】受信機によって実行されるプロセスを示す図。
【図８】パケットの送信を受信するための装置を示す図。
【図９】タイミング調整を用いて送信を中継するためのプロセスを示す図。
【図１０】タイミング調整を用いて送信を中継するための装置を示す図。
【図１１】送信機、リレー、および受信機のブロック図。
【発明を実施するための形態】
【００１０】
本明細書で説明する伝送技法は、ブロードキャストネットワーク、多元接続ネットワークなどの様々なワイヤレス通信ネットワークに使用でき得る。「ネットワーク」および「システム」という用語は、しばしば互換的に使用される。本技法は、ＭｅｄｉａＦＬＯ（商標）、Ｄｉｇｉｔａｌ  Ｖｉｄｅｏ  Ｂｒｏａｄｃａｓｔｉｎｇ  ｆｏｒ  Ｈａｎｄｈｅｌｄｓ（ＤＶＢ−Ｈ）、Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ  Ｔｅｌｅｖｉｓｉｏｎ  Ｂｒｏａｄｃａｓｔｉｎｇ（ＩＳＤＢ−Ｔ）などの無線技術を実装したブロードキャストネットワークに使用でき得る。本技法はまた、ワイヤレスワイドエリアネットワーク（ＷＷＡＮ）、ワイヤレスメトロポリタンエリアネットワーク（ＷＭＡＮ）、ワイヤレスローカルエリアネットワーク（ＷＬＡＮ）などの多元接続ネットワークに使用でき得る。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどとすることができ得る。ＣＤＭＡネットワークは、Ｕｎｉｖｅｒｓａｌ  Ｔｅｒｒｅｓｔｒｉａｌ
Ｒａｄｉｏ  Ａｃｃｅｓｓ（ＵＴＲＡ）、ｃｄｍａ２０００などの無線技術を実装することができ得る。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができ得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、Ｆｌａｓｈ−ＯＦＤＭ（登録商標）などの無線技術を実装することができ得る。Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用する、Ｅ−ＵＴＲＡを使用する「３ｒｄ  Ｇｅｎｅｒａｔｉｏｎ  Ｐａｒｔｎｅｒｓｈｉｐ  Ｐｒｏｊｅｃｔ」（３ＧＰＰ）の今度のリリースである。ＷＬＡＮは、（Ｗｉ−Ｆｉとも呼ばれる）ＩＥＥＥ８０２．１１規格ファミリー、Ｈｉｐｅｒｌａｎなどの中の１つまたは複数の規格を実装することができ得る。ＷＭＡＮは、（ＷｉＭＡＸとも呼ばれる）ＩＥＥＥ８０２．１６規格ファミリーの中の１つまたは複数の規格を実装することができ得る。本明細書で説明する伝送技法は、上記の無線技術ならびに他の無線技術に使用でき得る。
【００１１】
図１に、ワイヤレス通信ネットワーク１００を示す。簡単のために、図１には、１つの送信機１１０と、１つのインクリメンタルリダンダンシ（ＩＲ）リレー１２０と、１つの受信機１３０と、１つのネットワークコントローラ１４０とのみを示してある。一般に、ワイヤレスネットワークは、任意の数の各タイプのエンティティを含むことができ得る。
【００１２】
送信機１１０は、受信機に情報をブロードキャストする局とすることができ得る。送信機１１０は、ブロードキャストネットワークにおける放送局、多元接続ネットワークにおける基地局、衛星ネットワークにおける衛星などとすることができ得る。基地局は、ノードＢ、進化型ノードＢ（ｅノードＢ）、アクセスポイントなどと呼ばれることもある。送信機１１０は、ブロードキャスト送信を送信し、ユニキャストおよび／またはマルチキャスト送信をも送信することができ得る。ネットワークコントローラ１４０は、送信機のセットに結合し、これらの送信機の調整および制御を行うことができ得る。
【００１３】
受信機１３０は、送信機から情報を受信することが可能な局とすることができ得る。受信機１３０は、ネットワーク内のどこにでも位置することができ得、固定または移動とすることができ得る。受信機１３０は、ブロードキャストネットワークからブロードキャスト情報を受信することのみが可能なブロードキャスト受信機とすることができ得る。受信機１３０はまた、多元接続ネットワークとの双方向通信が可能な端末の一部とすることができ得る。端末は、アクセス端末、移動局、ユーザ機器、加入者局、局などとも呼ばれることもある。受信機１３０は、セルラー電話、携帯情報端末（ＰＤＡ）、ワイヤレス通信デバイス、ハンドヘルドデバイス、ワイヤレスモデム、ラップトップコンピュータ、コードレス電話、ワイヤレスローカルループ（ＷＬＬ）局などの一部とすることができ得る。受信機１３０は、順方向リンク（またはダウンリンク）上で送信機１１０から送信を受信することができ得る。受信機１３０はまた、逆方向リンク（またはアップリンク）上で送信機１１０および／または他局に送信を送信することが可能であり得る。受信機１３０はまた、ＩＲリレー１２０についての知識有りでまたは無しでＩＲリレー１２０から送信を受信することができ得る。
【００１４】
ＩＲリレー１２０は、パケットの送信を受信し、パケットの追加の送信を送信する局とすることができ得る。ＩＲリレー１２０は、送信機１１０から順方向リンク信号を受信し、送信を処理してパケットを復号し、パケットの追加の送信を含んでいるリレー信号を送信することができ得る。ＩＲリレー１２０は、後述のように、送信機１１０のカバレージを向上させ、受信機１３０のパフォーマンスをも向上させることができ得る。
【００１５】
一般に、送信機１１０は、送信機１１０のカバレージ内の任意の数の受信機に送信することができ得る。ＩＲリレー１２０も、ＩＲリレー１２０のカバレージ内の任意の数の受信機に送信することができ得る。ＩＲリレー１２０はまた、任意の数の送信機の送信を受信し、中継することができ得る。受信機１３０は、任意の数の送信機および任意の数のＩＲリレーから送信を受信することができ得る。簡単のために、以下の説明の大部分では、（ｉ）受信機１３０に送信する送信機１１０と、（ｉｉ）送信機１１０から受信し、受信機１３０に送信するＩＲリレー１２０とについて説明する。
【００１６】
ネットワークは、インクリメンタルリダンダンシと呼ばれることもあるＨＡＲＱを利用することができ得る。ＨＡＲＱを用いて、送信機は、パケットが受信機によって正しく復号されるか、または最大数の送信が送信されるか、または何らかの他の終了条件に遭遇するまで、一度に１つ、データのパケットの１つまたは複数の送信を送信することができ得る。ブロードキャスト送信では、送信機は、受信機における復号結果にかかわらず、パケットのすべての送信を送信することができ得る。ＨＡＲＱは、データ送信の信頼性を向上させることができ得る。
【００１７】
図２に、ＨＡＲＱを用いてブロードキャスト送信を送信する設計を示す。送信機１１０は、送信機１１０のカバレージ内のすべての受信機にブロードキャストすべき情報を有し得る。送信機１１０は、ブロードキャスト情報が送信機１１０のカバレージ内のすべてまたは多くの受信機によって確実に受信され得るように、パケットフォーマットを選択することができ得る。パケットフォーマットは、トランスポートフォーマット、変調およびコーディング方式（ＭＣＳ）、レートなどと呼ばれることもある。選択されるパケットフォーマットは、特定の変調方式、特定のコードレートまたはコーディング方式、特定のパケットサイズなどに関連することができ得る。選択されるパケットフォーマットは、すべての受信機によってアプリオリ（a priori）に知られるか、または受信機に（たとえば、ブロードキャストチャネル上で）送信され得る。
【００１８】
送信機１１０は、選択されたパケットフォーマットに従ってブロードキャスト情報のパケット（パケットＡ）を処理（たとえば、符号化および変調）し、パケットＡのＮ個の送信のためのデータシンボルを発生し得る。パケットの各送信はＨＡＲＱ送信と呼ばれることがある。パケットのＮ個の異なる送信は、パケットのための異なるリダンダンシ情報を含むことができ得、パケットを復号するために使用でき得る。送信機１１０は、時間ｔにおいてすべての受信機にパケットＡの第１の送信（送信１）を送信し得る。受信機１３０は、第１の送信を受信し、処理（たとえば、復調および復号）し、パケットＡが誤って復号されたと判断し得る。送信機１１０は、時間ｔ＋１においてすべての受信機にパケットＡの第２の送信（送信２）を送信し得る。受信機１３０は、第２の送信を受信し、第１および第２の送信を処理してパケットＡを復号し、パケットＡが誤って復号されたと判断し得る。送信機１１０は、それぞれの時間においてすべての受信機にパケットＡの各残りの送信を送信し得る。図２に示す例では、受信機１３０は、送信機１１０から遠く離れて位置することがあり、パケットＡの最初のＮ−１個の送信の各々の後にパケットＡを正しく復号することが不可能なことがある。受信機１３０は、パケットＡの最後の送信（送信Ｎ）を受信し、Ｎ個のすべての送信を処理してパケットＡを復号し、パケットＡが正しく復号されたと判断し得る。
【００１９】
送信機１１０は、同様の様式で次のパケットを処理し、送信することができ得る。パケットはすべての受信機を対象としており、送信機１１０は、各受信機がパケットを正しく復号するために何個の送信を必要とするかを知らないので、送信機１１０は各パケットのＮ個のすべての送信を送信し得る。受信機がＮ個未満の送信でパケットを正しく復号することができた場合、受信機は、パケットの残りの送信を単に無視することができ得る。
【００２０】
送信タイムラインはサブフレームの単位に分割でき得、各サブフレームは特定の持続時間を有することができ得る。複数（Ｍ個）のＨＡＲＱインターレースを定義することができ得、各ＨＡＲＱインターレースは、Ｍ個のサブフレームだけ離れて離間したサブフレームを含んでいる。Ｍ個のＨＡＲＱインターレースは互いに１サブフレームだけオフセットされ得る。所与のパケットのすべての送信を１つのＨＡＲＱインターレースの異なるサブフレームにおいて送信することができ得る。異なるパケットをＭ個のＨＡＲＱインターレース上で時間インターレース様式で並列に送信することができ得る。
【００２１】
受信機１３０は、携帯型とし、内部バッテリーによって電力供給でき得る。バッテリー電力を節約し、バッテリー寿命を延長するために、受信機１３０は、いかなる送信も受信しないときに電源切断でき得る。まだ正しく復号されていないパケットについて、受信機１３０は、パケットの各送信より前に起動し、送信を受信し、受信されたすべての送信を処理してパケットを復号することができ得る。パケットを正しく復号すると、受信機１３０は、パケットの残りの送信を通してスリープ（sleep）することができ得る。図２に示す例では、受信機１３０は、Ｎ−１個のより以前の送信のいずれの後でもパケットＡを正しく復号することが不可能であったので、パケットＡのＮ個のすべての送信について起動し得る。簡単のために図２には示していないが、受信機１３０は、時間インターレース様式で複数のパケットの送信を受信することができ得、これらの送信のうちの任意の１つが送信されたときはいつでもアウェイク（awake）したままでいることができ得る。
【００２２】
ＩＲリレー１２０は、ブロードキャスト送信のパフォーマンスを改善するために使用でき得る。ＩＲリレー１２０は、送信機１１０を介した調整を用いてまたは用いずに、この改善を達成することができ得る。受信機１３０は、ＩＲリレー１２０の影響を受けることがあるが、ＩＲリレー１２０の存在を認識することも認識しないこともある。
【００２３】
図３に、ＨＡＲＱを用いてブロードキャスト送信を送信し、中継する設計を示す。送信機１１０は、送信機１１０のカバレージ内のすべての受信機にブロードキャストすべき情報を有し得る。送信機１１０は、選択されたパケットフォーマットに従ってブロードキャスト情報のパケット（パケットＡ）を処理（たとえば、符号化および変調）し、パケットＡのＮ個の送信のためのデータシンボルを発生し得る。送信機１１０は、時間ｔにおいてすべての受信機にパケットＡの第１の送信を送信し得る。ＩＲリレー１２０は、送信機１１０から第１の送信を受信し、その第１の送信を処理してパケットＡを復号し得る。図３に示す例では、ＩＲリレー１２０は、第１の送信に基づいてパケットＡを正しく復号する。受信機１３０も、第１の送信を受信し、処理し、パケットＡが誤って復号されたと判断し得る。
【００２４】
送信機１１０は、時間ｔ＋１においてすべての受信機にパケットＡの第２の送信を送信し得る。ＩＲリレー１２０は、復号されたパケットＡに基づいて送信機１１０と同様にしてパケットＡの第２および後続の送信を発生することができ得る。ＩＲリレー１２０は、第２の送信のために送信機１１０によって使用されるのと同じリソース上で同じ時間にパケットＡの第２の送信を送信することができ得る。受信機１３０は、送信機１１０とＩＲリレー１２０の両方から第２の送信を受信することができ得る。受信機１３０は、第１および第２の送信を処理してパケットＡを復号し、パケットＡが正しく復号されたと判断し得る。
【００２５】
送信機１１０は、それぞれの時間においてすべての受信機にパケットＡの各残りの送信を送信し得る。ＩＲリレー１２０も、送信機１１０と同じリソース上で同じ時間にパケットＡの各残りの送信を送信し得る。受信機１３０は、第２の送信後にすでにパケットＡを首尾よく復号しているので、受信機１３０は、図３に示すように、パケットＡの残りの送信をスキップし、実行すべき他のタスクがない場合、これらの送信を通してスリープすることができ得る。
【００２６】
パケットの送信の数（Ｎ）、各送信の持続時間、および連続する送信間の時間間隔は、ネットワークの設計に依存し得る。ＭｅｄｉａＦＬＯ（商標）では、パケットの４つの送信が４つのフレーム中で送信され、各フレームは２５０ミリ秒（ｍｓ）の持続時間を有する。各送信は、送信を受信するために必要な時間量を低減するために、フレームの一部分中で送信でき得る。複数のパケットを一緒に符号化し、Ｎ個の送信中で送信することもでき得る。
【００２７】
ＩＲリレー１２０は、送信機１１０からのパケットを高レートで正しく復号することが可能であり、復号されたパケットのシンボルの残りを受信機１３０に送信することができ得る。たとえば、送信機１１０は、１０００情報ビットのパケットをレート１／３コードで符号化して、３０００コードビットを発生することができ得る。送信機１１０は、各送信が５００コードビットを搬送する、パケットの６つの送信を発生することができ得る。ＩＲリレー１２０は、送信機１１０に対して十分高い信号対雑音比（ＳＮＲ）を有し、パケットをレート２／３で正しく復号することが可能であり得る。したがって、ＩＲリレー１２０は、パケットの３つの送信から１５００コードビットでパケットを正しく復号することが可能であり得る。次いで、ＩＲリレー１２０は、復号されたパケットを同じレート１／３コードで符号化して、３０００コードビットを発生することができ得る。ＩＲリレー１２０は、最初の１５００コードビットを廃棄し、送信機１１０と同様にして、最後の１５００コードビットを用いてパケットの最後の３つの送信を発生することができ得る。ＩＲリレー１２０は、送信機１１０と同じリソース上で同じ時間に、これらの最後の３つの送信を送信することができ得る。
【００２８】
受信機１３０は、送信機１１０から最初の３つの送信を受信し、送信機１１０とＩＲリレー１２０の両方から最後の３つの送信を受信し得る。送信機１１０およびＩＲリレー１２０がＯＦＤＭまたはＳＣ−ＦＤＭを使用して送信を送信する場合、受信機１３０は、等化を実行する必要なしに送信機１１０およびＩＲリレー１２０から送信を受信することができる。受信機１３０は、低いＳＮＲを有し得る送信機１１０から受信した３つの送信に基づいて最初の１５００コードビットの対数尤度比（ＬＬＲ）を計算することができ得る。受信機１３００は、送信機１１０と、より高いＳＮＲを有し得るＩＲリレー１２０の両方から受信した最後の３つの送信に基づいて最後の１５００コードビットのＬＬＲを計算することができ得る。受信機１３０は、パケットを復号するために３０００コードビットすべてのＬＬＲを使用することができ得る。受信機１３０は、パケットの各送信後に復号を試みることができ得、チャネル状態次第では、６つ未満の送信でパケットを正しく復号することが可能であり得る。
【００２９】
概して、ＩＲリレー１２０によって送信される残りの送信の数は、送信機１１０によって送信される送信の数（Ｎ）、送信機１１０によって使用されるコードレート、送信機１１０に対するＩＲリレー１２０におけるＳＮＲなど、様々なファクタに依存し得る。送信機１１０がより低いコードレートを使用する場合、および／またはＩＲリレー１２０におけるＳＮＲがより高い場合、ＩＲリレー１２０はより多くの送信を送信することができ得る。
【００３０】
ＩＲリレー１２０は、たとえば、図３について上述したようにトラフィックデータを中継することができ得る。ＩＲリレー１２０は、送信機１１０からの他の情報を中継することもでき得る。１つの設計では、ＩＲリレー１２０は、送信機１１０からの送信を受信するために使用されるシステム情報を搬送するブロードキャスト／オーバーヘッドチャネルを中継することができ得る。たとえば、システム情報は、システム帯域幅、ＦＦＴサイズ、巡回プレフィックス長などを伝達することができ得る。別の設計では、ＩＲリレー１２０は、送信機１１０からの割当てメッセージを搬送する制御チャネルを中継することができ得る。割当てメッセージは、パケットフォーマット、送信に使用されるリソース、および／またはパケットの送信を受信するために使用される他の関連情報を示すことができ得る。１つの設計では、割当てメッセージをパケットまたはパケットのセット用に送信し、（１つまたは複数の）パケットの送信とともに中継することができ得る。別の設計では、割当てメッセージは、複数の情報要素またはペイロードを含むことができ得る。各情報要素は、パケットまたはパケットのセット用とし、単独で復号可能とすることができ得る。各情報要素は、対応するサブフレームまたはＨＡＲＱインターレース中で何が送信されるかを記述することができ得る。たとえば、サブフレームｑの情報要素は、サブフレームｑのデータ帯域幅割振りを記述することができ得る。
【００３１】
一般に、ＩＲリレー１２０は、送信機１１０によって送信される任意のデータまたは情報の送信を中継することができ得る。ＩＲリレー１２０は、パケットの送信を送信するために使用すべきリソース、パケットのパケットフォーマット、パケットを送信する送信の数（Ｎ）など、関連パラメータを取得することができ得る。ＩＲリレー１２０は、受信機１３０と同様にして、送信機１１０から受信した各送信の後にパケットを復号することを試みることができ得る。送信機１１０からＩＲリレー１２０へのリンクは、送信機１１０から受信機１３０へのリンクよりも良好であり得る。その場合、ＩＲリレー１２０は、受信機１３０よりも少ない送信でパケットを首尾よく復号することが可能であり得る。パケットを首尾よく復号した後、ＩＲリレー１２０は、復号されたパケットに基づいて、送信機１１０と同様にしてパケットの残りの送信を発生することができ得る。ＩＲリレー１２０は、送信機１１０と同じリソース上で各残りの送信を送信することができ得る。
【００３２】
受信機１３０は、送信機１１０および場合によってはＩＲリレー１２０からの送信を受信することができ得る。受信機１３０は、送信がどこから来ているかを知る必要がなく、ＩＲリレー１２０の存在を知る必要がないことがある。送信機１１０も、ＩＲリレー１２０が存在し、パケットの送信を送信しているかどうかを知る必要がないことがある。
【００３３】
図３に示されていない別の設計では、ＩＲリレー１２０は、（ｉ）ＲＦリピータとして働き、パケットが正しく復号されるまで反復信号を送信し、（ｉｉ）リレーとして働き、パケットが正しく復号された後にリレー信号を送信することができ得る。パケットを正しく復号する前に、ＩＲリレー１２０は、送信機１１０から順方向リンク信号を受信し、受信信号を再調整（たとえば、増幅およびフィルタ処理）して反復信号を発生し、その反復信号を受信機１３０に送信することができ得る。パケットを首尾よく復号した後、ＩＲリレー１２０は、復号されたパケットに基づいてパケットの残りの送信を発生し、パケットのこれらの送信とともにリレー信号を発生し、そのリレー信号を受信機１３０に送信することができ得る。この設計は、パケットのより以前の送信のパフォーマンスを改善することができ得る。
【００３４】
ＩＲリレー１２０が反復信号を送信するか否かにかかわらず、ＩＲリレー１２０によって発生されるより高品質のリレー信号により、パフォーマンスの改善が達成でき得る。ＩＲリレー１２０から受信機１３０へのリレーリンクは、送信機１１０から受信機１３０への直接リンクよりも良好であり得る。受信機１３０は、送信機１１０からの送信よりも良好な品質でＩＲリレー１２０からの送信を受信することが可能であり得る。したがって、受信機１３０は、ＩＲリレー１２０からの支援により、送信機１１０によって送信されたパケットをより少ない送信で正しく復号することが可能であり得る。
【００３５】
ＩＲリレー１２０は、ブロードキャスト送信のパフォーマンスを改善するために使用でき得る。ＩＲリレー１２０は、図３に示すように、受信機１３０が、より少ない送信後にパケットを首尾よく復号し、より多くの送信中にスリープすることを可能にし得る。これにより受信機１３０のバッテリー寿命を延長することができ得、これは、ブロードキャストネットワークから１つまたは複数のブロードキャストストリームを継続的に受信する受信機にとって望ましいことがある。ＩＲリレー１２０はまた、カバレージを拡張することができ得、また、受信機１３０が、送信機１１０からより遠くに位置し、依然として送信機１１０からのパケットを首尾よく復号し得ることを可能にすることができ得る。ＩＲリレー１２０はまた、スペクトル効率を改善することができ得、送信機１１０が、（ｉ）パケットのより少ない送信を送信すること、または（ｉｉ）同じ数の送信中により多くのデータを送信することを可能にすることができ得る。
【００３６】
１つの設計では、送信機１１０からの順方向リンク信号とＩＲリレー１２０からのリレー信号とは、送信されるパケットに対して同じ波形を有することができ得る。その場合、送信機１１０およびＩＲリレー１２０は、受信機１３０には単一周波数ネットワーク（ＳＦＮ）における２つの局のように見え得る。この設計では、受信機１３０は、順方向リンク信号とリレー信号の両方を備える受信信号を処理することができ得る。受信機１３０は、これらの２つの信号を区別する必要がなく、ＩＲリレー１２０の存在を認識している必要がないことがある。別の設計では、リレー信号は、順方向リンク信号から区別可能であり得る。この設計では、受信機１３０は、順方向リンク信号およびリレー信号を受信し、両方の信号またはより強い信号のみを処理することができ得る。
【００３７】
１つの設計では、送信機１１０からのパケットの送信は、データのために使用されるリソース（またはデータリソース）上のデータシンボル、ならびにパイロットのために使用されるリソース（またはパイロットリソース）上のパイロットシンボルを備えることができ得る。パイロットは、送信機および受信機によってアプリオリに知られるデータであり、基準信号、トレーニング、プリアンブルなどと呼ばれることもある。ＩＲリレー１２０からのパケットの送信も、データリソース上のデータシンボルと、パイロットリソース上のパイロットシンボルとを備えることができ得る。同じリソース上で送信機１１０とＩＲリレー１２０の両方からパイロットシンボルを送信することにより、受信機１３０は、送信機１１０とＩＲリレー１２０の両方のリンクについてチャネル推定値を導出することが可能になり得る。受信機１３０は、パケットの各送信の受信されたパイロットシンボルに基づいて、その送信のチャネル推定値を導出することができ得る。その場合、受信機１３０は、送信機１１０およびＩＲリレー１２０の個々のチャネル応答を知る必要なしに、各送信について取得されたチャネル推定値に基づいて、その送信の受信されたデータシンボルに対してコヒーレント検出を実行することができ得る。
【００３８】
１つの設計では、ＩＲリレー１２０は、送信機１１０からの送信とＩＲリレー１２０からの送信とが受信機１３０において近似的に時間整合されるように、パケットの送信を送信することができ得る。これは、受信機１３０における受信信号の周波数選択性を低減し、パフォーマンスを改善することができ得る。
【００３９】
図４に、送信機１１０およびＩＲリレー１２０からパケットの送信を送信するための設計を示す。送信機１１０は、時間Ｔ0において開始する、パケットの送信を送信することができ得る。ＩＲリレー１２０は、Ｔ0からΔＴSRとすることができ得る時間Ｔ1において開始する、パケットの同じ送信を送信することができ得る。受信機１３０は、Ｔ1からΔＴRDとすることができ得る時間Ｔ2において開始する、ＩＲリレー１２０からのパケットの送信を受信することができ得る。受信機１３０はまた、Ｔ0からΔＴSDとすることができ得る時間Ｔ3において開始する、送信機１１０からのパケットの送信を受信することができ得る。ΔＴSRは、送信機１１０（またはソース「Ｓ」）からＩＲリレー１２０（またはリレー「Ｒ」）への伝搬遅延であり得る。ΔＴRDは、ＩＲリレー１２０から受信機１３０（または宛先「Ｄ」）への伝搬遅延であり得る。ΔＴSDは、送信機１１０から受信機１３０への伝搬遅延であり得る。
【００４０】
送信機１１０からの送信とＩＲリレー１２０からの送信とが受信機１３０において同じまたはほぼ同じ時間に到着することが望ましいことがある。１つの設計では、受信機１３０は、Ｔ2とＴ3との間の差である受信タイミング差ΔＴDIFFを判断し、その受信タイミング差をＩＲリレー１２０に与えることができ得る。ＩＲリレー１２０は、受信機１３０における受信タイミング差が０に近くなるように、ＩＲリレー１２０の送信タイミングを調整することができ得る。
【００４１】
別の設計では、ＩＲリレー１２０は、受信機における受信タイミング差を減少させるためにＩＲリレー１２０の送信タイミングを自律的に調整することができ得る。ＩＲリレー１２０は、ΔＴSRを判断し、ΔＴSDが近似的にΔＴSRに等しいと仮定することができ得る。その場合、ＩＲリレー１２０は、ＩＲリレー１２０の送信タイミングを、送信機１１０の送信タイミングからΔＴSRになるように設定する、すなわち、ＩＲリレー１２０の送信タイミングをＩＲリレー１２０の受信タイミングに等しくすることができ得る。代替的に、ＩＲリレー１２０は、ＩＲリレー１２０の送信タイミングを、送信機１１０の送信タイミングからΔＴSR−ｘになるように設定することができ得、ただし、ｘは適切なオフセット値とすることができ得る。オフセットｘは、受信機１３０における受信タイミング差を減少させるように選択でき得る。
【００４２】
１つの設計では、ＩＲリレー１２０は、所定の送信電力レベル、たとえば、最大送信電力レベルでパケットの送信を送信することができ得る。この設計はカバレージを最大にすることができ得る。別の設計では、ＩＲリレー１２０は、ＩＲリレー１２０からの送信の受信電力が受信機１３０において所定の範囲内になるように、ＩＲリレー１２０の送信電力レベルを調整することができ得る。ＩＲリレー１２０は、送信機１１０よりも受信機１３０の近くに位置し得る。したがって、ＩＲリレー１２０は、受信機１３０がＩＲリレー１２０に対して十分高いＳＮＲを達成することを依然として可能にしながら、ＩＲリレー１２０の送信をより低い送信電力で受信機１３０に送信することが可能であり得る。送信電力が低くなると、ネットワークにおける干渉が少なくなり得る。１つの設計では、受信機１３０は、受信機１３０の受信電力がターゲットレベルまたはレンジを上回っているかまたは下回っているかを示す電力制御コマンドを送信することができ得る。ＩＲリレー１２０は、電力制御コマンドに基づいてＩＲリレー１２０の送信電力レベルを調整することができ得る。別の設計では、ＩＲリレー１２０は、たとえば、受信機１３０から受信したパイロットに基づいて、受信機１３０への経路損失を推定することができ得る。その場合、ＩＲリレー１２０は、推定された受信機１３０への経路損失に基づいてＩＲリレー１２０の送信電力を調整することができ得る。ＩＲリレー１２０は、他の方法でＩＲリレー１２０の送信電力を調整することもでき得る。
【００４３】
１つの設計では、ＩＲリレー１２０は、電源投入されたときに使用可能にされ、使用可能にされたときに送信を中継することができ得る。別の設計では、ＩＲリレー１２０は選択的に使用可能にでき得る。たとえば、ＩＲリレー１２０は、ＩＲリレー１２０の近傍内の受信機を検出し、少なくとも１つの受信機が検出されたときのみ使用可能にでき得る。ＩＲリレー１２０はまた、送信機１１０および／または受信機１３０からのシグナリングに基づいて使用可能にでき得る。
【００４４】
ＩＲリレー１２０は、上記で説明したように、カバレージを拡張し、スペクトル効率を向上させることができ得る。ＩＲリレー１２０はまた、未計画的に、たとえば、全方向アンテナを用いて配備でき得る。信号を単に「増幅し、転送する」ＲＦリピータとは異なり、ＩＲリレー１２０は、未計画的に配備されたときに雑音を増幅せず、ひどい干渉を生じない。ＩＲリレー１２０は、フェムトセル／ホーム基地局シナリオにおいて有利に使用でき得る。
【００４５】
図５に、リレーによって実行されるプロセス５００の設計を示す。リレーは、送信機からパケットの少なくとも１つの送信を受信し、その少なくとも１つの送信は、送信機によって受信機にブロードキャストされたパケットの複数の送信のうちの少なくとも１つである（ブロック５１２）。リレーは、パケットを復号するためにパケットの少なくとも１つの送信を処理する（ブロック５１４）。リレーは、パケットを正しく復号した後にパケットの少なくとも１つの残りの送信を発生し、その少なくとも１つの残りの送信はパケットの複数の送信のうちの残りの送信である（ブロック５１６）。リレーは、たとえば、送信機と同じリソース上で同じ時間に、パケットの少なくとも１つの残りの送信を送信する（ブロック５１８）。１つの設計では、送信機は、ブロードキャストネットワークにおける放送局とし、パケットは、放送局によって受信機に送信されるブロードキャストストリーム用とすることができ得る。他の設計では、送信機は、基地局または何らかの他の送信機とすることができ得る。
【００４６】
送信機は、受信機による復号結果にかかわらず、パケットの固定数の送信をブロードキャストすることができ得る。リレーによって送信されるパケットの少なくとも１つの残りの送信は、パケットを復号するためにリレーによって使用されないすべての送信を含むことができ得、たとえば、図３では第２〜第Ｎの送信を含むことができ得る。パケットの複数の送信は、パケットのための異なるリダンダンシ情報を備えるＨＡＲＱ送信とすることができ得る。
【００４７】
リレーは、パケットのための送信機によって使用されるパケットフォーマットを判断することができ得る。リレーは、パケットを復号するために、パケットフォーマットに従って送信機からのパケットの少なくとも１つの送信を処理することができ得る。リレーはまた、パケットフォーマットに従ってパケットの少なくとも１つの残りの送信を発生することができ得る。１つの設計では、リレーは、（ｉ）送信のためのデータシンボルを、データのための送信機によって使用されるリソースにマッピングすることと、（ｉｉ）パイロットシンボルを、パイロットのための送信機によって使用されるリソースにマッピングすることと、（ｉｉｉ）マッピングされたデータシンボルおよびマッピングされたパイロットシンボルに基づいて送信を発生することとによって、各残りの送信を発生することができ得る。リレーは、パケットの少なくとも１つの残りの送信を送信するために送信機によって使用されるリソースを判断することができ得る。次いで、リレーは、送信機によって使用されるリソース上でパケットの少なくとも１つの残りの送信を送信することができ得る。
【００４８】
１つの設計では、リレーは、送信機からメッセージの少なくとも１つの送信を受信することができ得る。メッセージは、パケットを受信するために使用される情報、たとえば、システム情報、パケットの割当てなどを備えることができ得る。リレーは、メッセージを復号するためにメッセージの少なくとも１つの送信を処理することができ得る。次いで、リレーは、メッセージを正しく復号した後、メッセージの少なくとも１つの残りの送信を発生することができ得る。リレーは、たとえば、送信機と同じリソース上で同じ時間に、メッセージの少なくとも１つの残りの送信を送信することができ得る。
【００４９】
１つの設計では、リレーは、リレーからの送信が受信機において送信機からの送信の所定のタイムウィンドウ内に受信されるようにリレーの送信タイミングを調整することができ得る。その場合、リレーは、その送信タイミングに従ってパケットの少なくとも１つの残りの送信を送信することができ得る。１つの設計では、リレーは、リレーからの送信の受信電力が受信機において所定の範囲内になるようにリレーの送信電力レベルを決定することができ得る。その場合、リレーは、決定された送信電力レベルでパケットの少なくとも１つの残りの送信を送信することができ得る。
【００５０】
１つの設計では、たとえば、図３に示すように、パケットが正しく復号されなかった場合、リレーはパケットの送信を送信しないことができ得る。別の設計では、パケットが正しく復号されるまで、リレーは、送信機から受信した信号を再調整し、その再調整された信号をリレーから送信することができ得る。
【００５１】
図６に、送信を中継するための装置６００の設計を示す。装置６００は、送信機からパケットの少なくとも１つの送信をリレーにおいて受信するためのモジュール６１２であって、その少なくとも１つの送信が、送信機によって受信機にブロードキャストされたパケットの複数の送信のうちの少なくとも１つである、受信するためのモジュール６１２と、パケットを復号するためにパケットの少なくとも１つの送信を処理するためのモジュール６１４と、パケットを正しく復号した後にパケットの少なくとも１つの残りの送信を発生するためのモジュール６１６であって、その少なくとも１つの残りの送信がパケットの複数の送信のうちの残りの送信である、発生するためのモジュール６１６と、リレーからパケットの少なくとも１つの残りの送信を送信するためのモジュール６１８とを含む。
【００５２】
図７に、ブロードキャスト受信機、端末などであり得る受信機によって実行されるプロセス７００の設計を示す。受信機は、送信機からパケットの少なくとも１つの送信を受信し、その少なくとも１つの送信は、送信機によって受信機にブロードキャストされたパケットの複数の送信のうちの少なくとも１つである（ブロック７１２）。受信機はまた、送信機およびリレーからパケットの少なくとも１つの追加の送信を受信し、その少なくとも１つの追加の送信は、パケットの複数の送信のうちの少なくとも１つの残りの送信である（ブロック７１４）。パケットの少なくとも１つの追加の送信は、パケットの残りの送信のすべてまたはサブセットとすることができ得、たとえば、図３に示す例では第２の送信のみを含むことができ得る。受信機は、パケットを復号するためにパケットの少なくとも１つの送信および少なくとも１つの追加の送信を処理する（ブロック７１６）。
【００５３】
ブロック７１６の１つの設計では、受信機は、パケットの少なくとも１つの送信におけるパイロットシンボルに基づいて、その送信の各々について送信機のための第１のチャネル推定値を導出することができ得る。受信機は、パケットの各送信の第１のチャネル推定値に基づいて、その送信のための検出を実行することができ得る。受信機はまた、パケットの各追加の送信におけるパイロットシンボルに基づいて、その追加の送信について送信機とリレーの両方のための第２のチャネル推定値を導出することができ得る。受信機は、パケットの各追加の送信の第２のチャネル推定値に基づいて、その追加の送信のための検出を実行することができ得る。
【００５４】
１つの設計では、受信機は、送信機からメッセージの少なくとも１つの送信を受信することができ得る。受信機はまた、送信機およびリレーからメッセージの少なくとも１つの追加の送信を受信することができ得る。受信機は、メッセージを復号するためにメッセージの少なくとも１つの送信および少なくとも１つの追加の送信を処理することができ得る。メッセージは、パケットを受信するために使用される情報を備えることができ得る。たとえば、受信機は、メッセージからシステム情報を取得し、そのシステム情報に従ってパケットの送信を受信することができ得る。受信機は、メッセージから割当てを取得し、その割当てに従ってパケットの送信を受信し、処理することができ得る。
【００５５】
１つの設計では、受信機は、リレーからの送信が受信機において送信機からの送信の所定のタイムウィンドウ内に受信されるようにリレーのタイミング調整を判断することができ得る。受信機は、そのタイミング調整をリレーに送信することができ得る。
【００５６】
１つの設計では、受信機は、図３に示すように、パケットの少なくとも１つの送信および少なくとも１つの追加の送信中にアウェイク状態で動作することができ得る。受信機は、図３に同じく示すように、パケットの複数の送信のうちの残りの送信の間、スリープ状態で動作することができ得る。
【００５７】
図８に、送信を受信するための装置８００の設計を示す。装置８００は、送信機からパケットの少なくとも１つの送信を受信するためのモジュール８１２であって、その少なくとも１つの送信が、送信機によって受信機にブロードキャストされたパケットの複数の送信のうちの少なくとも１つである、受信するためのモジュール８１２と、送信機およびリレーからパケットの少なくとも１つの追加の送信を受信するためのモジュール８１４であって、その少なくとも１つの追加の送信が、パケットの複数の送信のうちの少なくとも１つの残りの送信である、受信するためのモジュール８１４と、パケットを復号するためにパケットの少なくとも１つの送信および少なくとも１つの追加の送信を処理するためのモジュール８１６とを含む。
【００５８】
図９に、タイミング調整を用いてリレーによって送信を送信するためのプロセス９００の設計を示す。リレーは、送信機からパケットの少なくとも１つの送信を受信する（ブロック９１２）。リレーは、パケットを復号するためにパケットの少なくとも１つの送信を処理する（ブロック９１４）。リレーは、パケットを正しく復号した後にパケットの少なくとも１つの追加の送信を発生する（ブロック９１６）。リレーは、リレーからの送信が受信機において送信機からの送信の所定のタイムウィンドウ内に受信されるようにリレーの送信タイミングを調整する（ブロック９１８）。１つの設計では、リレーは、受信機からタイミング調整を受信し、そのタイミング調整に従ってリレーの送信タイミングを調整することができ得る。別の設計では、リレーは、送信機からのパケットの少なくとも１つの送信に基づいてリレーの受信タイミングを判断し、その受信タイミングに基づいてリレーの送信タイミングを設定することができ得る。いずれの場合も、リレーは、リレーの送信タイミングに従ってリレーから受信機にパケットの少なくとも１つの追加の送信を送信する（ブロック９２０）。
【００５９】
図１０に、タイミング調整を用いて送信を中継するための装置１０００の設計を示す。装置１０００は、送信機からパケットの少なくとも１つの送信をリレーにおいて受信するためのモジュール１０１２と、パケットを復号するためにパケットの少なくとも１つの送信を処理するためのモジュール１０１４と、パケットを正しく復号した後にパケットの少なくとも１つの追加の送信を発生するためのモジュール１０１６と、リレーからの送信が受信機において送信機からの送信の所定のタイムウィンドウ内に受信されるようにリレーの送信タイミングを調整するためのモジュール１０１８と、送信タイミングに従ってリレーから受信機にパケットの少なくとも１つの追加の送信を送信するためのモジュール１０２０とを含む。
【００６０】
図６、図８および図１０のモジュールは、プロセッサ、電子デバイス、ハードウェアデバイス、電子構成要素、論理回路、メモリなど、またはそれらの任意の組合せを備えることができ得る。
【００６１】
図１１に、送信機１１０、ＩＲリレー１２０、および受信機１３０の設計のブロック図を示す。送信機１１０において、送信（ＴＸ）データプロセッサ１１１０は、ブロードキャストすべきデータのパケットを受信し、選択されたパケットフォーマットに従って各パケットを処理（たとえば、符号化および変調）してデータシンボルを取得する。プロセッサ１１１０は、各パケットの複数（Ｎ個）の送信を発生し、一度に１つの送信を行うことができ得る。プロセッサ１１１０はまた、（たとえば、システム情報、割当てメッセージなどのための）制御情報を処理して制御シンボルを取得することができ得る。プロセッサ１１１０は、データシンボル、制御シンボル、およびパイロットシンボルを多重化し、（たとえば、ＣＤＭＡ、ＯＦＤＭなどのために）その多重化されたシンボルをさらに処理して出力サンプルを発生する。送信機（ＴＭＴＲ）１１１２は、出力サンプルを調整（たとえば、アナログ変換、増幅、フィルタ処理、およびアップコンバート）して順方向リンク信号を発生し、その順方向リンク信号はＩＲリレー１２０および受信機１３０に送信される。
【００６２】
ＩＲリレー１２０において、送信機１１０からの順方向リンク信号が受信され、受信機（ＲＣＶＲ）１１３６に供給される。受信機１１３６は、受信信号を調整（たとえば、フィルタ処理、増幅、ダウンコンバート、およびデジタル化）し、入力サンプルを与える。受信（ＲＸ）データプロセッサ１１３８は、（たとえば、ＣＤＭＡ、ＯＦＤＭなどのために）入力サンプルを処理して受信シンボルを取得する。プロセッサ１１３８は、受信シンボルに対して検出を実行して検出シンボルを取得し、その検出シンボルをさらに処理（たとえば、復調および復号）して、送信機１１０によって送信されたパケットおよび制御情報を復元する。ＴＸデータプロセッサ１１３０は、それぞれ正しく復号されたパケットを送信機１１０と同様にして処理（たとえば、符号化および変調）してデータシンボルを取得する。プロセッサ１１３０は、データシンボルをパイロットシンボルと多重化し、その多重化されたシンボルをさらに処理して、それぞれ正しく復号されたパケットの残りの送信のための出力サンプルを取得する。送信機１１３２は、プロセッサ１１３０からの出力サンプルを調整し、リレー信号を発生し、そのリレー信号は受信機１３０に送信される。
【００６３】
受信機１３０において、送信機１１０からの順方向リンク信号とＩＲリレー１２０からのリレー信号とが、受信機１１５２によって受信され、調整され、さらにＲＸデータプロセッサ１１５４によって処理されて、送信機１１０によって送信されたパケットおよび制御情報を復元する。プロセッサ１１５４は、パケットの各送信の受信されたパイロットシンボルに基づいて、その送信のためのチャネル推定値を導出する。プロセッサ１１５４は、そのチャネル推定値を用いて受信されたデータシンボルと受信された制御シンボルとに対してコヒーレント検出を実行して、検出シンボルを取得する。プロセッサ１１５４は、その検出シンボルをさらに処理（たとえば、復調および復号）して、送信機１１０によって送信されたパケットを復元する。
【００６４】
コントローラ／プロセッサ１１２０、１１４０および１１６０は、それぞれ送信機１１０、ＩＲリレー１２０、および受信機１３０における動作を指示する。コントローラ／プロセッサ１１４０は、図５のプロセス５００、図９のプロセス９００、および／または本明細書で説明する技法の他のプロセスを実行または指示する。コントローラ／プロセッサ１１６０は、図７のプロセス７００、および／または本明細書で説明する技法の他のプロセスを実行または指示する。メモリ１１２２、１１４２および１１６２は、それぞれ送信機１１０、ＩＲリレー１２０、および受信機１３０のためのデータおよびプログラムコードを記憶する。
【００６５】
情報および信号は様々な異なる技術および技法のいずれかを使用して表すことができ得ることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができ得る。
【００６６】
さらに、本明細書の開示に関連して説明した様々な例示的な論理ブロック、モジュール、回路、およびアルゴリズムステップは、電子ハードウェア、コンピュータソフトウェア、または両方の組合せとして実装でき得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができ得るが、そのような実装の決定は、本開示の範囲からの逸脱を生じるものと解釈すべきではない。
【００６７】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行でき得る。汎用プロセッサはマイクロプロセッサとすることができ得るが、代替として、プロセッサは、任意の従来のプロセッサ、コントローラ、マイクロコントローラ、または状態マシンとすることができ得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもでき得る。
【００６８】
本明細書の開示に関して説明した方法またはアルゴリズムのステップは、直接ハードウェアで実施するか、プロセッサによって実行されるソフトウェアモジュールで実施するか、またはその２つの組合せで実施することができ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができ得る。例示的な記憶媒体は、プロセッサが記憶媒体から情報を読み取り、記憶媒体に情報を書き込むことができるように、プロセッサに結合される。代替として、記憶媒体はプロセッサに一体化することができ得る。プロセッサおよび記憶媒体はＡＳＩＣ中に常駐することができ得る。ＡＳＩＣはユーザ端末中に常駐することができ得る。代替として、プロセッサおよび記憶媒体は、ユーザ端末中に個別構成要素として常駐することもでき得る。
【００６９】
１つまたは複数の例示的な設計では、説明した機能を、ハードウェア、ソフトウェア、ファームウェア、またはそれらの組合せで実装することができ得る。ソフトウェアで実装する場合、機能は、１つまたは複数の命令またはコードとしてコンピュータ可読媒体上に記憶するか、あるいはコンピュータ可読媒体を介して送信することができ得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスできる任意の利用可能な媒体とすることができ得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用でき、汎用または専用コンピュータあるいは汎用または専用プロセッサによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００７０】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用でき得る。したがって、本開示は、本明細書で説明する例および設計に限定されるものではなく、本明細書で開示する原理および新規の特徴に合致する最も広い範囲を与えられるべきである。
【図１】
2014123958.tif 000003
【図２】
2014123958.tif 000004
【図３】
2014123958.tif 000005
【図４】
2014123958.tif 000006
【図５】
2014123958.tif 000007
【図６】
2014123958.tif 000008
【図７】
2014123958.tif 000009
【図８】
2014123958.tif 000010
【図９】
2014123958.tif 000011
【図１０】
2014123958.tif 000012
【図１１】
2014123958.tif 000013
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
送信機からパケットの少なくとも１つの送信を含む信号をリレーにおいて受信することと、前記少なくとも１つの送信が、前記送信機によって受信機にブロードキャストされた前記パケットの複数の送信のうちの少なくとも１つである、
前記パケットを復号するために前記パケットの前記少なくとも１つの送信を処理することと、
前記パケットが正しく復号されるまで、
前記送信機から受信されたパケットの少なくとも１つの送信を含む受信された前記信号を再調整することと、なお、前記再調整することは、増幅および／またはフィルタ処理することである、
前記再調整された信号を前記リレーから送信することと、
前記パケットが正しく復号された後に、
前記パケットの少なくとも１つの残りの送信を発生することと、前記少なくとも１つの残りの送信が前記パケットの前記複数の送信のうちの残りの送信である、
前記パケットの前記少なくとも１つの残りの送信を送信するために前記送信機によって使用されるリソースを判断することと、
前記リレーから前記パケットの前記少なくとも１つの残りの送信を前記送信機により使用された同じリソースで送信することと
を備える、ワイヤレス通信のための方法。
【請求項２】
前記送信機が、前記受信機による復号結果にかかわらず、前記パケットの固定数の送信をブロードキャストする、請求項１に記載の方法。
【請求項３】
前記パケットの前記複数の送信が、前記パケットのための異なるリダンダンシ情報を備えるハイブリッド自動再送要求（ＨＡＲＱ）送信である、請求項１に記載の方法。
【請求項４】
前記パケットの前記少なくとも１つの残りの送信を前記送信することは、前記送信機が前記残りの送信を送信するのと同じ時間に、前記リレーから前記パケットの各残りの送信を送信することを備える、請求項１に記載の方法。
【請求項５】
前記パケットのための前記送信機によって使用されるパケットフォーマットを判断することをさらに備え、前記パケットの前記少なくとも１つの送信が、前記パケットを復号するために前記パケットフォーマットに従って処理され、前記パケットの前記少なくとも１つの残りの送信が前記パケットフォーマットに従って発生される、
請求項１に記載の方法。
【請求項６】
前記送信機からメッセージの少なくとも１つの送信を前記リレーにおいて受信することと、前記メッセージが、前記パケットを受信するために使用される情報を備える、
前記メッセージを復号するために前記メッセージの前記少なくとも１つの送信を処理することと、
前記メッセージを正しく復号した後に前記メッセージの少なくとも１つの残りの送信を発生することと、
前記リレーから前記メッセージの前記少なくとも１つの残りの送信を送信することとをさらに備える、請求項１に記載の方法。
【請求項７】
前記メッセージがシステム情報を備える、請求項６に記載の方法。
【請求項８】
前記メッセージが前記パケットの割当てを備える、請求項６に記載の方法。
【請求項９】
前記パケットの前記少なくとも１つの残りの送信を前記発生することが、各残りの送信について、
前記残りの送信のためのデータシンボルを、データのための前記送信機によって使用されるリソースにマッピングすることと、
パイロットシンボルを、パイロットのための前記送信機によって使用されるリソースにマッピングすることと、
前記マッピングされたデータシンボルおよび前記マッピングされたパイロットシンボルに基づいて前記残りの送信を発生することと
を備える、請求項１に記載の方法。
【請求項１０】
前記リレーからの送信が受信機において前記送信機からの送信の所定のタイムウィンドウ内に受信されるように前記リレーの送信タイミングを調整することをさらに備え、前記パケットの前記少なくとも１つの残りの送信が、前記リレーの前記送信タイミングに従って前記リレーから送信される、
請求項１に記載の方法。
【請求項１１】
前記リレーからの送信の受信電力が受信機において所定の範囲内になるように前記リレーの送信電力レベルを決定することをさらに備え、前記パケットの前記少なくとも１つの残りの送信が、前記決定された送信電力レベルで前記リレーから送信される、請求項１に記載の方法。
【請求項１２】
前記パケットが正しく復号されなかった場合、前記リレーから前記パケットの送信を送信しないこと
をさらに備える、請求項１に記載の方法。
【請求項１３】
前記送信機が、ブロードキャストネットワークにおける放送局であり、前記パケットが、前記放送局によって前記受信機に送信されるブロードキャストストリーム用である、請求項１に記載の方法。
【請求項１４】
送信機からパケットの少なくとも１つの送信を含む信号をリレーにおいて受信することと、前記少なくとも１つの送信が、前記送信機によって受信機にブロードキャストされた前記パケットの複数の送信のうちの少なくとも１つである、
前記パケットを復号するために前記パケットの前記少なくとも１つの送信を処理することと、前記少なくとも１つの残りの送信が前記パケットの前記複数の送信のうちの残りの送信である、
前記パケットが正しく復号されるまで、前記送信機から受信されたパケットの少なくとも１つの送信を含む前記信号を再調整して前記再調整された信号を前記リレーから送信することと、なお、前記再調整することは、増幅および／またはフィルタ処理することである、
前記パケットが正しく復号された後に、前記パケットの少なくとも１つの残りの送信を発生し、前記パケットの前記少なくとも１つの残りの送信を送信するために前記送信機によって使用されるリソースを決定し、前記送信機によって使用される同じリソースで前記リレーから前記パケットの前記少なくとも１つの残りの送信を送信することとを行うように構成された少なくとも１つのプロセッサと、
前記少なくとも１つのプロセッサに結合されたメモリと
を備える、ワイヤレス通信のための装置。
【請求項１５】
前記少なくとも１つのプロセッサが、前記パケットのための前記送信機によって使用されるパケットフォーマットを判断することと、前記パケットを復号するために前記パケットフォーマットに従って前記パケットの前記少なくとも１つの送信を処理することと、前記パケットフォーマットに従って前記パケットの前記少なくとも１つの残りの送信を発生することとを行うように構成された、請求項１４に記載の装置。
【請求項１６】
前記パケットの各残りの送信について、前記少なくとも１つのプロセッサが、前記残りの送信のためのデータシンボルを、データのための前記送信機によって使用されるリソースにマッピングすることと、パイロットシンボルを、パイロットのための前記送信機によって使用されるリソースにマッピングすることと、前記マッピングされたデータシンボルおよび前記マッピングされたパイロットシンボルに基づいて前記残りの送信を発生することとを行うように構成された、請求項１４に記載の装置。
【請求項１７】
送信機からパケットの少なくとも１つの送信を含む信号をリレーにおいて受信するための手段であって、前記少なくとも１つの送信が、前記送信機によって受信機にブロードキャストされた前記パケットの複数の送信のうちの少なくとも１つである、受信するための手段と、
前記パケットを復号するために前記パケットの前記少なくとも１つの送信を処理するための手段と、
前記パケットが正しく復号されるまで前記送信機から受信したパケットの少なくとも１つの送信を含む前記信号を再調整するための手段と、なお、前記再調整することは、増幅および／またはフィルタ処理することである、
前記パケットが正しく復号されるまで前記再調整された信号を前記リレーから送信するための手段と、
前記パケットが正しく復号された後に前記パケットの少なくとも１つの残りの送信を発生するための手段と、前記少なくとも１つの残りの送信が前記パケットの前記複数の送信のうちの残りの送信である、
前記パケットが正しく復号された後に前記パケットの前記少なくとも１つの残りの送信を送信するために前記送信機によって使用されるリソースを判断するための手段と、
前記パケットが正しく復号された後に前記送信機によって使用される前記リソースで前記リレーから前記パケットの前記少なくとも１つの残りの送信を送信するための手段と
を備える、ワイヤレス通信のための装置。
【請求項１８】
前記パケットのための前記送信機によって使用されるパケットフォーマットを判断するための手段
をさらに備え、
前記パケットの前記少なくとも１つの送信が、前記パケットを復号するために前記パケットフォーマットに従って処理され、
前記パケットの前記少なくとも１つの残りの送信が前記パケットフォーマットに従って発生される、
請求項１７に記載の装置。
【請求項１９】
前記パケットの少なくとも１つの残りの送信を発生するための前記手段が、各残りの送信について、
前記残りの送信のためのデータシンボルを、データのための前記送信機によって使用されるリソースにマッピングするための手段と、
パイロットシンボルを、パイロットのための前記送信機によって使用されるリソースにマッピングするための手段と、
前記マッピングされたデータシンボルおよび前記マッピングされたパイロットシンボルに基づいて前記残りの送信を発生するための手段と
を備える、請求項１７に記載の装置。
【請求項２０】
送信機からパケットの少なくとも１つの送信をリレーにおいて受信することを少なくとも１つのコンピュータに行わせるためのコードと、前記少なくとも１つの送信が、前記送信機によって受信機にブロードキャストされた前記パケットの複数の送信のうちの少なくとも１つである、
前記パケットを復号するために前記パケットの前記少なくとも１つの送信を処理することを前記少なくとも１つのコンピュータに行わせるためのコードと、
前記送信機から受信したパケットの少なくとも１つの送信を含む前記信号の再調整を、前記パケットが正しく復号されるまで前記少なくとも１つのコンピュータに行わせるためのコードと、なお、前記再調整することは、増幅および／またはフィルタ処理することである、
前記再調整された信号を前記リレーから送信することを、前記パケットが正しく復号されるまで前記少なくとも１つのコンピュータに行わせるためのコードと、
前記パケットが正しく復号された後に前記パケットの少なくとも１つの残りの送信を発生することを前記少なくとも１つのコンピュータに行わせるためのコードと、前記少なくとも１つの残りの送信が前記パケットの前記複数の送信のうちの残りの送信である、
前記パケットが正しく復号された後に前記パケットの前記少なくとも１つの残りの送信を送信するために前記送信機によって使用されるリソースを判断することを前記少なくとも１つのコンピュータに行わせるためのコードと、
前記パケットが正しく復号された後に前記送信機により使用された同じリソースで前記リレーから前記パケットの前記少なくとも１つの残りの送信を送信することを前記少なくとも１つのコンピュータに行わせるためのコードと
を備える、コンピュータプログラム。
【請求項２１】
送信機からパケットの少なくとも１つの送信を受信することと、前記少なくとも１つの送信が、前記送信機によって受信機にブロードキャストされた前記パケットの複数の送信のうちの少なくとも１つである、
前記送信機およびリレーから前記パケットの少なくとも１つの追加の送信を受信することと、前記少なくとも１つの追加の送信が、前記パケットの前記複数の送信のうちの少なくとも１つの残りの送信である、
前記パケットを復号するために前記パケットの前記少なくとも１つの送信および前記少なくとも１つの追加の送信を処理することと
を備え、
前記パケットの前記少なくとも１つの送信および少なくとも１つの追加の送信を前記処理することは、前記少なくとも１つの送信の各々について、前記送信におけるパイロットシンボルに基づいて前記送信機のための第１のチャネル推定値を導出することと、前記第１のチャネル推定値に基づいて前記送信の検出を実行することとを備え、
前記パケットの前記少なくとも１つの送信および少なくとも１つの追加の送信を前記処理することは、前記少なくとも１つの追加の送信の各々について、前記追加の送信におけるパイロットシンボルに基づいて前記送信機および前記リレーのための第２のチャネル推定値を導出することと、前記第２のチャネル推定値に基づいて前記追加の送信の検出を実行することとをさらに備える、ワイヤレス通信のための方法。
【請求項２２】
前記送信機が、前記受信機による復号結果にかかわらず、前記パケットの固定数の送信をブロードキャストし、前記パケットの前記複数の送信が、前記パケットのための異なるリダンダンシ情報を備えるハイブリッド自動再送要求（ＨＡＲＱ）送信である、請求項２１に記載の方法。
【請求項２３】
前記送信機からメッセージの少なくとも１つの送信を受信することと、前記メッセージが、前記パケットを受信するために使用される情報を備える、
前記送信機および前記リレーから前記メッセージの少なくとも１つの追加の送信を受信することと、
前記メッセージを復号するために前記メッセージの前記少なくとも１つの送信および前記少なくとも１つの追加の送信を処理することと
をさらに備える、請求項２１に記載の方法。
【請求項２４】
前記メッセージからシステム情報を取得することをさらに備え、前記パケットの前記少なくとも１つの送信および前記少なくとも１つの追加の送信が、前記システム情報に従って受信される、
請求項２３に記載の方法。
【請求項２５】
前記メッセージから割当てを取得することをさらに備え、前記パケットの前記少なくとも１つの送信および前記少なくとも１つの追加の送信が、前記割当てに従って受信され、処理される、
請求項２３に記載の方法。
【請求項２６】
前記リレーからの送信が受信機において前記送信機からの送信の所定のタイムウィンドウ内に受信されるように前記リレーのタイミング調整を判断することと、
前記タイミング調整を前記リレーに送信することと
をさらに備える、請求項２１に記載の方法。
【請求項２７】
前記パケットの前記少なくとも１つの送信および前記少なくとも１つの追加の送信中にアウェイク状態で動作することと、
前記パケットの前記複数の送信のうちの残りの送信の間、スリープ状態で動作することと
をさらに備える、請求項２１に記載の方法。
【請求項２８】
送信機からパケットの少なくとも１つの送信を受信することと、
前記送信機およびリレーから前記パケットの少なくとも１つの追加の送信を受信することと、
前記パケットを復号するために前記パケットの前記少なくとも１つの送信および前記少なくとも１つの追加の送信を処理することと、前記少なくとも１つの送信が、前記送信機によって受信機にブロードキャストされた前記パケットの複数の送信のうちの少なくとも１つであり、前記少なくとも１つの追加の送信が、前記パケットの前記複数の送信のうちの少なくとも１つの残りの送信である、
前記パケットの送信の各々について、前記送信におけるパイロットシンボルに基づいて、前記送信機のための第１のチャネル推定値を導出することと、
前記送信のための前記第１のチャネル推定値に基づいて、前記パケットの前記各送信の検出を実行することと、
前記パケットの前記追加の送信の各々について、前記追加の送信におけるパイロットシンボルに基づいて、前記送信機および前記リレーのための第２のチャネル推定値を導出することと、
前記追加の送信の各々について、前記追加の送信のための前記第２のチャネル推定値に基づいて、前記パケットの検出を実行することと
を行うように構成された少なくとも１つのプロセッサと、
前記少なくとも１つのプロセッサに結合されているメモリと
を備える、ワイヤレス通信のための装置。
【請求項２９】
前記少なくとも１つのプロセッサが、前記リレーからの送信が受信機において前記送信機からの送信の所定のタイムウィンドウ内に受信されるように前記リレーのタイミング調整を判断することと、前記タイミング調整を前記リレーに送信することとを行うように構成された、請求項２８に記載の装置。
【請求項３０】
送信機からパケットの少なくとも１つの送信を含む信号をリレーにおいて受信することと、
前記パケットが正しく復号されるまで、
前記送信機から受信されたパケットの少なくとも１つの送信を含む前記信号を再調整することと、なお、前記再調整することは、増幅および／またはフィルタ処理することである、
前記再調整された信号を前記リレーから送信することと、
前記パケットが正しく復号された後に、
前記パケットを復号するために前記パケットの前記少なくとも１つの送信を処理することと、
前記パケットの少なくとも１つの追加の送信を発生することと、
前記パケットの前記少なくとも１つの追加の送信を送信するために前記送信機によって使用されるリソースを判断することと、
前記リレーからの送信が受信機において前記送信機からの送信の所定のタイムウィンドウ内に受信されるように前記リレーの送信タイミングを調整することと、
前記送信タイミングに従って前記リレーから前記受信機に前記パケットの前記少なくとも１つの追加の送信を前記送信機によって使用された同じリソースで送信することとを備える、ワイヤレス通信のための方法。
【請求項３１】
前記リレーの送信タイミングを前記調整することが、
前記受信機からタイミング調整を受信することと、
前記タイミング調整に従って前記リレーの前記送信タイミングを調整することとを備える、請求項３０に記載の方法。
【請求項３２】
前記リレーの送信タイミングを前記調整することが、
前記送信機からの前記パケットの前記少なくとも１つの送信に基づいて前記リレーの受信タイミングを判断することと、
前記リレーの前記受信タイミングに基づいて前記リレーの前記送信タイミングを設定することと
を備える、請求項３０に記載の方法。
【請求項３３】
送信機からパケットの少なくとも１つの送信をリレーにおいて受信することと、
前記パケットを復号するために前記パケットの前記少なくとも１つの送信を処理することと、
前記パケットが正しく復号されるまで、前記送信機から受信されたパケットの少なくとも１つの送信を含む前記信号を再調整することと、前記再調整された信号を前記リレーから送信することと、なお、前記再調整することは、増幅および／またはフィルタ処理することである、
前記パケットが正しく復号された後に、前記パケットの少なくとも１つの追加の送信を発生し、前記パケットの前記少なくとも１つの追加の送信を送信するために前記送信機によって使用されるリソースを判断し、前記リレーからの送信が受信機において前記送信機からの送信の所定のタイムウィンドウ内に受信されるように前記リレーの送信タイミングを調整し、前記送信タイミングに従って前記リレーから前記受信機に前記パケットの前記少なくとも１つの追加の送信を前記送信機により使用された同じリソースで送信することとを行うように構成された少なくとも１つのプロセッサと、
前記少なくとも１つのプロセッサに結合されたメモリと
を備える、ワイヤレス通信のための装置。
【請求項３４】
前記少なくとも１つのプロセッサが、前記受信機からタイミング調整を受信することと、前記タイミング調整に従って前記リレーの前記送信タイミングを調整することとを行うように構成された、請求項３３に記載の装置。
【請求項３５】
前記少なくとも１つのプロセッサが、前記送信機からの前記パケットの前記少なくとも１つの送信に基づいて前記リレーの受信タイミングを判断することと、前記リレーの前記受信タイミングに基づいて前記リレーの前記送信タイミングを設定することとを行うように構成された、請求項３３に記載の装置。
【請求項３６】
送信機からパケットの少なくとも１つの送信を受信するための手段と、
前記少なくとも１つの送信が、前記送信機によって受信機にブロードキャストされた前記パケットの複数の送信のうちの少なくとも１つである、
前記送信機およびリレーから前記パケットの少なくとも１つの追加の送信を受信するための手段と、前記少なくとも１つの追加の送信が、前記パケットの前記複数の送信のうちの少なくとも１つの残りの送信である、
前記パケットを復号するために前記パケットの前記少なくとも１つの送信および前記少なくとも１つの追加の送信を処理するための手段と
を備え、
前記パケットの前記少なくとも１つの送信および前記少なくとも１つの追加の送信を前記処理することは、前記少なくとも１つの送信の各々について、前記送信におけるパイロットシンボルに基づいて、前記送信機のための第１のチャネル推定値を導出することと、前記第１のチャネル推定値に基づいて前記送信の検出を実行することとを備え、
前記パケットの前記少なくとも１つの送信および少なくとも１つの追加の送信を前記処理することは、前記少なくとも１つの追加の送信の各々について、前記追加の送信におけるパイロットシンボルに基づいて前記送信機および前記リレーのための第２のチャネル推定値を導出することと、前記第２のチャネル推定値に基づいて前記追加の送信の検出を実行することとをさらに備える、
ワイヤレス通信のための装置。
【請求項３７】
送信機からパケットの少なくとも１つの送信を受信するためのコードと、
前記少なくとも１つの送信が、前記送信機によって受信機にブロードキャストされた前記パケットの複数の送信のうちの少なくとも１つである、
前記送信機およびリレーから前記パケットの少なくとも１つの追加の送信を受信するためのコードと、前記少なくとも１つの追加の送信が、前記パケットの前記複数の送信のうちの少なくとも１つの残りの送信である、
前記パケットを復号するために前記パケットの前記少なくとも１つの送信および前記少なくとも１つの追加の送信を処理するためのコードと
を備え、
前記パケットの前記少なくとも１つの送信および少なくとも１つの追加の送信を前記処理することは、前記少なくとも１つの送信の各々について、前記送信におけるパイロットシンボルに基づいて前記送信機のための第１のチャネル推定値を導出することと、前記第１のチャネル推定値に基づいて前記送信の検出を実行することとを備え、
前記パケットの前記少なくとも１つの送信および少なくとも１つの追加の送信を前記処理することは、前記少なくとも１つの追加の送信の各々について、前記追加の送信におけるパイロットシンボルに基づいて前記送信機および前記リレーのための第２のチャネル推定値を導出することと、前記第２のチャネル推定値に基づいて前記追加の送信の検出を実行することとをさらに備える、コンピュータプログラム。
【請求項３８】
送信機からパケットの少なくとも１つの送信を含む信号をリレーにおいて受信するための手段と、
前記パケットを復号するために前記パケットの前記少なくとも１つの送信を処理するための手段と、
前記送信機から受信したパケットの少なくとも１つの送信を含む前記信号を、前記パケットが正しく復号されるまで、再調整するための手段と、なお、前記再調整することは、増幅および／またはフィルタ処理することである、
前記パケットが正しく復号されるまで、前記再調整された信号を前記リレーから送信するための手段と、
前記パケットが正しく復号されたら前記パケットの少なくとも１つの追加の送信を発生するための手段と、
前記パケットが正しく復号されたら前記パケットの前記少なくとも１つの追加の送信を送信するために前記送信機によって使用されるリソースを判断するための手段と、
前記リレーからの送信が受信機において前記送信機からの送信の所定のタイムウィンドウ内に受信されるように前記リレーの送信タイミングを調整するための手段と、
前記パケットが正しく復号されたら前記送信機によって使用された同じリソースで前記送信タイミングに従って前記リレーから前記受信機に前記パケットの前記少なくとも１つの追加の送信を送信するための手段と
を備える、ワイヤレス通信のための装置。
【請求項３９】
送信機からパケットの少なくとも１つの送信をリレーにおいて受信するためのコードと、
前記パケットを復号するために前記パケットの前記少なくとも１つの送信を処理するためのコードと、
前記送信機から受信したパケットの少なくとも１つの送信を含む前記信号を、前記パケットが正しく復号されるまで、再調整するためのコードと、なお、前記再調整することは、増幅および／またはフィルタ処理することである、
前記パケットが正しく復号されるまで、前記再調整された信号を前記リレーから送信するためのコードと、
前記パケットが正しく復号された後に前記パケットの少なくとも１つの追加の送信を発生するためのコードと、
前記パケットが正しく復号された後に前記パケットの前記少なくとも１つの追加の送信を送信するために前記送信機によって使用されるリソースを判断するためのコードと、
前記パケットが正しく復号された後に前記リレーからの送信が受信機において前記送信機からの送信の所定のタイムウィンドウ内に受信されるように前記リレーの送信タイミングを調整するためのコードと、
前記パケットが正しく復号された後に前記送信機によって使用された同じリソースで前記送信タイミングに従って前記リレーから前記受信機に前記パケットの前記少なくとも１つの追加の送信を送信するためのコードと
を備えるコンピュータプログラム。
【請求項４０】
前記リレーからの前記パケットの前記少なくとも１つの残りの送信が前記送信機により使用された同じ周波数で送信される、請求項１に記載の方法。
【請求項４１】
前記送信機およびリレーからの前記パケットの前記少なくとも１つの追加の送信が同じ周波数で受信される、請求項２１に記載の方法。
【手続補正２】
【補正対象書類名】明細書
【補正対象項目名】００７０
【補正方法】変更
【補正の内容】
【００７０】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用でき得る。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
送信機からパケットの少なくとも１つの送信をリレーにおいて受信することと、前記少なくとも１つの送信が、前記送信機によって受信機にブロードキャストされた前記パケットの複数の送信のうちの少なくとも１つである、
前記パケットを復号するために前記パケットの前記少なくとも１つの送信を処理することと、
前記パケットを正しく復号した後に前記パケットの少なくとも１つの残りの送信を発生することと、前記少なくとも１つの残りの送信が前記パケットの前記複数の送信のうちの残りの送信である、
前記リレーから前記パケットの前記少なくとも１つの残りの送信を送信することとを備える、ワイヤレス通信のための方法。
［Ｃ２］
前記送信機が、前記受信機による復号結果にかかわらず、前記パケットの固定数の送信をブロードキャストする、Ｃ１に記載の方法。
［Ｃ３］
前記パケットの前記複数の送信が、前記パケットのための異なるリダンダンシ情報を備えるハイブリッド自動再送要求（ＨＡＲＱ）送信である、Ｃ１に記載の方法。
［Ｃ４］
前記パケットの前記少なくとも１つの残りの送信を前記送信することは、前記送信機が前記残りの送信を送信するのと同じ時間に、前記リレーから前記パケットの各残りの送信を送信することを備える、Ｃ１に記載の方法。
［Ｃ５］
前記パケットの前記少なくとも１つの残りの送信を送信するために前記送信機によって使用されるリソースを判断することをさらに備え、前記パケットの前記少なくとも１つの残りの送信が、前記送信機によって使用される前記リソース上で前記リレーから送信される、
Ｃ１に記載の方法。
［Ｃ６］
前記パケットのための前記送信機によって使用されるパケットフォーマットを判断することをさらに備え、前記パケットの前記少なくとも１つの送信が、前記パケットを復号するために前記パケットフォーマットに従って処理され、前記パケットの前記少なくとも１つの残りの送信が前記パケットフォーマットに従って発生される、
Ｃ１に記載の方法。
［Ｃ７］
前記送信機からメッセージの少なくとも１つの送信を前記リレーにおいて受信することと、前記メッセージが、前記パケットを受信するために使用される情報を備える、
前記メッセージを復号するために前記メッセージの前記少なくとも１つの送信を処理することと、
前記メッセージを正しく復号した後に前記メッセージの少なくとも１つの残りの送信を発生することと、
前記リレーから前記メッセージの前記少なくとも１つの残りの送信を送信することとをさらに備える、Ｃ１に記載の方法。
［Ｃ８］
前記メッセージがシステム情報を備える、Ｃ７に記載の方法。
［Ｃ９］
前記メッセージが前記パケットの割当てを備える、Ｃ７に記載の方法。
［Ｃ１０］
前記パケットの前記少なくとも１つの残りの送信を前記発生することが、各残りの送信について、
前記残りの送信のためのデータシンボルを、データのための前記送信機によって使用されるリソースにマッピングすることと、
パイロットシンボルを、パイロットのための前記送信機によって使用されるリソースにマッピングすることと、
前記マッピングされたデータシンボルおよび前記マッピングされたパイロットシンボルに基づいて前記残りの送信を発生することと
を備える、Ｃ１に記載の方法。
［Ｃ１１］
前記リレーからの送信が受信機において前記送信機からの送信の所定のタイムウィンドウ内に受信されるように前記リレーの送信タイミングを調整することをさらに備え、前記パケットの前記少なくとも１つの残りの送信が、前記リレーの前記送信タイミングに従って前記リレーから送信される、
Ｃ１に記載の方法。
［Ｃ１２］
前記リレーからの送信の受信電力が受信機において所定の範囲内になるように前記リレーの送信電力レベルを決定することをさらに備え、前記パケットの前記少なくとも１つの残りの送信が、前記決定された送信電力レベルで前記リレーから送信される、Ｃ１に記載の方法。
［Ｃ１３］
前記パケットが正しく復号されなかった場合、前記リレーから前記パケットの送信を送信しないこと
をさらに備える、Ｃ１に記載の方法。
［Ｃ１４］
前記パケットが正しく復号されるまで、
前記送信機から受信された信号を再調整することと、
前記再調整された信号を前記リレーから送信することと
をさらに備える、Ｃ１に記載の方法。
［Ｃ１５］
前記送信機が、ブロードキャストネットワークにおける放送局であり、前記パケットが、前記放送局によって前記受信機に送信されるブロードキャストストリーム用である、Ｃ１に記載の方法。
［Ｃ１６］
送信機からパケットの少なくとも１つの送信をリレーにおいて受信することと、前記パケットを復号するために前記パケットの前記少なくとも１つの送信を処理することと、前記パケットを正しく復号した後に前記パケットの少なくとも１つの残りの送信を発生することと、前記リレーから前記パケットの前記少なくとも１つの残りの送信を送信することとを行うように構成された少なくとも１つのプロセッサであって、前記少なくとも１つの送信が、前記送信機によって受信機にブロードキャストされた前記パケットの複数の送信のうちの少なくとも１つであり、前記少なくとも１つの残りの送信が、前記パケットの前記複数の送信のうちの残りの送信である、少なくとも１つのプロセッサ
を備える、ワイヤレス通信のための装置。
［Ｃ１７］
前記少なくとも１つのプロセッサが、前記パケットの前記少なくとも１つの残りの送信を送信するために前記送信機によって使用されるリソースを判断することと、前記送信機によって使用される前記リソース上で前記パケットの前記少なくとも１つの残りの送信を送信することとを行うように構成された、Ｃ１６に記載の装置。
［Ｃ１８］
前記少なくとも１つのプロセッサが、前記パケットのための前記送信機によって使用されるパケットフォーマットを判断することと、前記パケットを復号するために前記パケットフォーマットに従って前記パケットの前記少なくとも１つの送信を処理することと、前記パケットフォーマットに従って前記パケットの前記少なくとも１つの残りの送信を発生することとを行うように構成された、Ｃ１６に記載の装置。
［Ｃ１９］
前記パケットの各残りの送信について、前記少なくとも１つのプロセッサが、前記残りの送信のためのデータシンボルを、データのための前記送信機によって使用されるリソースにマッピングすることと、パイロットシンボルを、パイロットのための前記送信機によって使用されるリソースにマッピングすることと、前記マッピングされたデータシンボルおよび前記マッピングされたパイロットシンボルに基づいて前記残りの送信を発生することとを行うように構成された、Ｃ１６に記載の装置。
［Ｃ２０］
送信機からパケットの少なくとも１つの送信をリレーにおいて受信するための手段であって、前記少なくとも１つの送信が、前記送信機によって受信機にブロードキャストされた前記パケットの複数の送信のうちの少なくとも１つである、受信するための手段と、  前記パケットを復号するために前記パケットの前記少なくとも１つの送信を処理するための手段と、
前記パケットを正しく復号した後に前記パケットの少なくとも１つの残りの送信を発生するための手段と、前記少なくとも１つの残りの送信が前記パケットの前記複数の送信のうちの残りの送信である、
前記リレーから前記パケットの前記少なくとも１つの残りの送信を送信するための手段と
を備える、ワイヤレス通信のための装置。
［Ｃ２１］
前記パケットの前記少なくとも１つの残りの送信を送信するために前記送信機によって使用されるリソースを判断するための手段をさらに備え、前記パケットの前記少なくとも１つの残りの送信が、前記送信機によって使用される前記リソース上で前記リレーから送信される、
Ｃ２０に記載の装置。
［Ｃ２２］
前記パケットのための前記送信機によって使用されるパケットフォーマットを判断するための手段
をさらに備え、
前記パケットの前記少なくとも１つの送信が、前記パケットを復号するために前記パケットフォーマットに従って処理され、
前記パケットの前記少なくとも１つの残りの送信が前記パケットフォーマットに従って発生される、
Ｃ２０に記載の装置。
［Ｃ２３］
前記パケットの少なくとも１つの残りの送信を発生するための前記手段が、各残りの送信について、
前記残りの送信のためのデータシンボルを、データのための前記送信機によって使用されるリソースにマッピングするための手段と、
パイロットシンボルを、パイロットのための前記送信機によって使用されるリソースにマッピングするための手段と、
前記マッピングされたデータシンボルおよび前記マッピングされたパイロットシンボルに基づいて前記残りの送信を発生するための手段と
を備える、Ｃ２０に記載の装置。
［Ｃ２４］
送信機からパケットの少なくとも１つの送信をリレーにおいて受信することを少なくとも１つのコンピュータを行わせるためのコードと、前記少なくとも１つの送信が、前記送信機によって受信機にブロードキャストされた前記パケットの複数の送信のうちの少なくとも１つである、
前記パケットを復号するために前記パケットの前記少なくとも１つの送信を処理することを少なくとも１つのコンピュータを行わせるためのコードと、
前記パケットを正しく復号した後に前記パケットの少なくとも１つの残りの送信を発生することを前記少なくとも１つのコンピュータを行わせるためのコードと、前記少なくとも１つの残りの送信が前記パケットの前記複数の送信のうちの残りの送信である、発生すること
前記リレーから前記パケットの前記少なくとも１つの残りの送信を送信することを前記少なくとも１つのコンピュータを行わせるためのコードと
を備えるコンピュータ可読媒体
を備える、コンピュータプログラム製品。
［Ｃ２５］
送信機からパケットの少なくとも１つの送信を受信することと、前記少なくとも１つの送信が、前記送信機によって受信機にブロードキャストされた前記パケットの複数の送信のうちの少なくとも１つである、
前記送信機およびリレーから前記パケットの少なくとも１つの追加の送信を受信することと、前記少なくとも１つの追加の送信が、前記パケットの前記複数の送信のうちの少なくとも１つの残りの送信である、
前記パケットを復号するために前記パケットの前記少なくとも１つの送信および前記少なくとも１つの追加の送信を処理することと
を備える、ワイヤレス通信のための方法。
［Ｃ２６］
前記送信機が、前記受信機による復号結果にかかわらず、前記パケットの固定数の送信をブロードキャストし、前記パケットの前記複数の送信が、前記パケットのための異なるリダンダンシ情報を備えるハイブリッド自動再送要求（ＨＡＲＱ）送信である、Ｃ２５に記載の方法。
［Ｃ２７］
前記送信機からメッセージの少なくとも１つの送信を受信することと、前記メッセージが、前記パケットを受信するために使用される情報を備える、
前記送信機および前記リレーから前記メッセージの少なくとも１つの追加の送信を受信することと、
前記メッセージを復号するために前記メッセージの前記少なくとも１つの送信および前記少なくとも１つの追加の送信を処理することと
をさらに備える、Ｃ２５に記載の方法。
［Ｃ２８］
前記メッセージからシステム情報を取得することをさらに備え、前記パケットの前記少なくとも１つの送信および前記少なくとも１つの追加の送信が、前記システム情報に従って受信される、
Ｃ２７に記載の方法。
［Ｃ２９］
前記メッセージから割当てを取得することをさらに備え、前記パケットの前記少なくとも１つの送信および前記少なくとも１つの追加の送信が、前記割当てに従って受信され、処理される、
Ｃ２７に記載の方法。
［Ｃ３０］
前記パケットの前記少なくとも１つの送信および前記少なくとも１つの追加の送信を前記処理することが、前記少なくとも１つの送信の各々について、
前記送信におけるパイロットシンボルに基づいて前記送信機のための第１のチャネル推定値を導出することと、
前記第１のチャネル推定値に基づいて前記送信のための検出を実行することとを備える、Ｃ２５に記載の方法。
［Ｃ３１］
前記パケットの前記少なくとも１つの送信および前記少なくとも１つの追加の送信を前記処理することが、前記少なくとも１つの追加の送信の各々について、
前記追加の送信におけるパイロットシンボルに基づいて前記送信機と前記リレーの両方のための第２のチャネル推定値を導出することと、
前記第２のチャネル推定値に基づいて前記追加の送信のための検出を実行することとをさらに備える、Ｃ３０に記載の方法。
［Ｃ３２］
前記リレーからの送信が受信機において前記送信機からの送信の所定のタイムウィンドウ内に受信されるように前記リレーのタイミング調整を判断することと、
前記タイミング調整を前記リレーに送信することと
をさらに備える、Ｃ２５に記載の方法。
［Ｃ３３］
前記パケットの前記少なくとも１つの送信および前記少なくとも１つの追加の送信中にアウェイク状態で動作することと、
前記パケットの前記複数の送信のうちの残りの送信の間、スリープ状態で動作することと
をさらに備える、Ｃ２５に記載の方法。
［Ｃ３４］
送信機からパケットの少なくとも１つの送信を受信することと、前記送信機およびリレーから前記パケットの少なくとも１つの追加の送信を受信することと、前記パケットを復号するために前記パケットの前記少なくとも１つの送信および前記少なくとも１つの追加の送信を処理することとを行うように構成された少なくとも１つのプロセッサであって、前記少なくとも１つの送信が、前記送信機によって受信機にブロードキャストされた前記パケットの複数の送信のうちの少なくとも１つであり、前記少なくとも１つの追加の送信が、前記パケットの前記複数の送信のうちの少なくとも１つの残りの送信である、少なくとも１つのプロセッサ
を備える、ワイヤレス通信のための装置。
［Ｃ３５］
前記少なくとも１つのプロセッサが、前記パケットの各送信におけるパイロットシンボルに基づいて前記送信について前記送信機のための第１のチャネル推定値を導出することと、前記パケットの各送信の前記第１のチャネル推定値に基づいて前記送信のための検出を実行することと、前記パケットの各追加の送信におけるパイロットシンボルに基づいて前記追加の送信について前記送信機と前記リレーの両方のための第２のチャネル推定値を導出することと、前記パケットの各追加の送信の前記第２のチャネル推定値に基づいて前記追加の送信のための検出を実行することとを行うように構成された、Ｃ３４に記載の装置。
［Ｃ３６］
前記少なくとも１つのプロセッサが、前記リレーからの送信が受信機において前記送信機からの送信の所定のタイムウィンドウ内に受信されるように前記リレーのタイミング調整を判断することと、前記タイミング調整を前記リレーに送信することとを行うように構成された、Ｃ３４に記載の装置。
［Ｃ３７］
送信機からパケットの少なくとも１つの送信をリレーにおいて受信することと、
前記パケットを復号するために前記パケットの前記少なくとも１つの送信を処理することと、
前記パケットを正しく復号した後に前記パケットの少なくとも１つの追加の送信を発生することと、
前記リレーからの送信が受信機において前記送信機からの送信の所定のタイムウィンドウ内に受信されるように前記リレーの送信タイミングを調整することと、
前記送信タイミングに従って前記リレーから前記受信機に前記パケットの前記少なくとも１つの追加の送信を送信することと
を備える、ワイヤレス通信のための方法。
［Ｃ３８］
前記リレーの送信タイミングを前記調整することが、
前記受信機からタイミング調整を受信することと、
前記タイミング調整に従って前記リレーの前記送信タイミングを調整することとを備える、Ｃ３７に記載の方法。
［Ｃ３９］
前記リレーの送信タイミングを前記調整することが、
前記送信機からの前記パケットの前記少なくとも１つの送信に基づいて前記リレーの受信タイミングを判断することと、
前記リレーの前記受信タイミングに基づいて前記リレーの前記送信タイミングを設定することと
を備える、Ｃ３７に記載の方法。
［Ｃ４０］
送信機からパケットの少なくとも１つの送信をリレーにおいて受信することと、前記パケットを復号するために前記パケットの前記少なくとも１つの送信を処理することと、前記パケットを正しく復号した後に前記パケットの少なくとも１つの追加の送信を発生することと、前記リレーからの送信が受信機において前記送信機からの送信の所定のタイムウィンドウ内に受信されるように前記リレーの送信タイミングを調整することと、前記送信タイミングに従って前記リレーから前記受信機に前記パケットの前記少なくとも１つの追加の送信を送信することとを行うように構成された少なくとも１つのプロセッサを備える、ワイヤレス通信のための装置。
［Ｃ４１］
前記少なくとも１つのプロセッサが、前記受信機からタイミング調整を受信することと、前記タイミング調整に従って前記リレーの前記送信タイミングを調整することとを行うように構成された、Ｃ４０に記載の装置。
［Ｃ４２］
前記少なくとも１つのプロセッサが、前記送信機からの前記パケットの前記少なくとも１つの送信に基づいて前記リレーの受信タイミングを判断することと、前記リレーの前記受信タイミングに基づいて前記リレーの前記送信タイミングを設定することとを行うように構成された、Ｃ４０に記載の装置。
【外国語明細書】
2014123958000001.pdf